(57)【要約】【課題】コアネットワークに設けられた通信制御装置またはゲートウェイ装置などにかかる負荷を軽減させることができ、かつ、情報の送受信の増加を抑えることができる通信制御装置、ゲートウェイ装置、通信制御方法および通信制御プログラムを提供する。【解決手段】通信制御装置１６２は、無線端末装置２０２と通信可能な１または複数の無線基地局装置１０１Ａ，１０１Ｂを管理するための通信制御装置１６２であって、無線基地局装置１０１Ａ，１０１Ｂのうちフェムト基地局を管理するための第１の制御部５１Ａと、無線基地局装置１０１Ａ，１０１Ｂのうちフェムト基地局以外の無線基地局装置を管理するための第２の制御部５１Ｂとを備える。【選択図】図６
2013192149.tif 000002
【特許請求の範囲】
【請求項１】
無線端末装置と通信可能な１または複数の無線基地局装置を管理するための通信制御装置であって、
前記無線基地局装置のうちフェムト基地局を管理するための第１の制御部と、
前記無線基地局装置のうち前記フェムト基地局以外の無線基地局装置を管理するための第２の制御部とを備える、通信制御装置。
【請求項２】
前記第１の制御部および前記第２の制御部は、前記通信制御装置間の通信用に規定されたインタフェースを用いることなく互いに通信する、請求項１に記載の通信制御装置。
【請求項３】
前記第１の制御部を複数備える、請求項１または請求項２に記載の通信制御装置。
【請求項４】
前記第１の制御部および前記第２の制御部のうち一方の制御部は、前記無線端末装置のコアネットワークへのアタッチ要求を対応する前記無線基地局装置から受信して、他方の制御部へ前記無線端末装置の端末情報の問合せを行い、
前記他方の制御部は、前記端末情報の問合せを受けて、前記端末情報を有している場合には前記端末情報を前記一方の制御部へ出力する、請求項１から請求項３のいずれか１項に記載の通信制御装置。
【請求項５】
前記他方の制御部は、前記端末情報の問合せを受けて、前記端末情報を有していない場合には、有していないことを示す通知を前記一方の制御部へ出力するか、または、前記無線端末装置が過去に通信を行った前記無線基地局装置を管理対象とする他の前記通信制御装置へ前記端末情報の問合せを行う、請求項４に記載の通信制御装置。
【請求項６】
前記第１の制御部および前記第２の制御部のうち一方の制御部は、前記無線端末装置のトラッキングエリア更新要求を対応する前記無線基地局装置から受信して、他方の制御部へ前記無線端末装置の端末情報の問合せを行い、
前記他方の制御部は、前記端末情報の問合せを受けて、前記端末情報を有している場合には前記端末情報を前記一方の制御部へ出力する、請求項１から請求項５のいずれか１項に記載の通信制御装置。
【請求項７】
前記他方の制御部は、前記端末情報の問合せを受けて、前記端末情報を有していない場合には、前記無線端末装置が過去に通信を行った前記無線基地局装置を管理対象とする他の前記通信制御装置へ前記端末情報の問合せを行う、請求項６に記載の通信制御装置。
【請求項８】
前記第１の制御部および前記第２の制御部のうち前記無線端末装置のハンドオーバ先の前記無線基地局装置を管理する一方の制御部は、前記無線端末装置のハンドオーバ動作が完了した後にハンドオーバ先の前記無線基地局装置から所定情報を受信して、ハンドオーバ元の前記無線基地局装置が他方の制御部の管理対象である場合に、前記他方の制御部へ前記無線端末装置の端末情報の問合せを行い、
前記他方の制御部は、前記一方の制御部から前記端末情報の問合せを受けて、前記端末情報を前記一方の制御部へ出力する、請求項１から請求項７のいずれか１項に記載の通信制御装置。
【請求項９】
前記他方の制御部は、前記一方の制御部から前記端末情報の問合せを受けると、前記端末情報を削除する、請求項８に記載の通信制御装置。
【請求項１０】
前記第１の制御部および前記第２の制御部のうち前記無線端末装置のハンドオーバ元の前記無線基地局装置を管理する一方の制御部は、前記無線端末装置のハンドオーバ動作を行うためのハンドオーバ要求を前記ハンドオーバ元の前記無線基地局装置から受信して、ハンドオーバ先の前記無線基地局装置が他方の制御部の管理対象である場合に、前記ハンドオーバ要求および前記無線端末装置の識別情報を前記他方の制御部へ出力し、
前記他方の制御部は、前記一方の制御部から取得した前記ハンドオーバ要求をハンドオーバ先の前記無線基地局装置へ送信し、前記ハンドオーバ先の前記無線基地局装置から前記ハンドオーバ要求に対する応答通知を受信すると、前記応答通知を前記一方の制御部へ出力する、請求項１から請求項９のいずれか１項に記載の通信制御装置。
【請求項１１】
前記一方の制御部は、前記他方の制御部から前記応答通知を取得した後、前記ハンドオーバ元の前記無線基地局装置の状態を示す状態通知を前記ハンドオーバ元の前記無線基地局装置から受信すると、前記他方の制御部へ前記状態通知を出力し、
前記他方の制御部は、前記一方の制御部から前記状態通知を取得して、前記状態通知に対する応答通知を前記一方の制御部へ出力する、請求項１０に記載の通信制御装置。
【請求項１２】
前記他方の制御部は、前記一方の制御部から前記状態通知を取得した後、前記ハンドオーバ先の前記無線基地局装置から前記ハンドオーバ動作の完了通知を受信すると、前記完了通知を前記一方の制御部へ出力する、請求項１１に記載の通信制御装置。
【請求項１３】
前記一方の制御部は、前記他方の制御部から前記完了通知を取得すると、前記無線端末装置の端末情報を削除する、請求項１２に記載の通信制御装置。
【請求項１４】
前記第１の制御部および前記第２の制御部のうち前記無線端末装置のハンドオーバ元の前記無線基地局装置を管理する一方の制御部は、前記無線端末装置のハンドオーバ動作を行うためのハンドオーバ要求を前記ハンドオーバ元の前記無線基地局装置から受信して、ハンドオーバ先の前記無線基地局装置が他方の制御部の管理対象である場合に、前記ハンドオーバ要求および前記無線端末装置の識別情報を前記他方の制御部へ出力し、
前記他方の制御部は、前記一方の制御部から取得した前記ハンドオーバ要求をハンドオーバ先の前記無線基地局装置へ送信し、ハンドオーバ先の前記無線基地局装置から前記ハンドオーバ動作の拒否通知を受信すると、前記拒否通知を前記一方の制御部へ出力する、請求項１から請求項１３のいずれか１項に記載の通信制御装置。
【請求項１５】
無線端末装置と通信可能な１または複数の無線基地局装置と上位ネットワークとの間に接続され、前記無線基地局装置経由で前記無線端末装置から受信した通信データを前記上位ネットワークへ送信するとともに、前記上位ネットワークから受信した通信データを前記無線基地局装置経由で前記無線端末装置へ送信するためのゲートウェイ装置であって、
前記無線基地局装置のうちフェムト基地局経由で前記無線端末装置から受信した通信データを前記上位ネットワークへ送信するか、または、前記上位ネットワークから受信した通信データを前記フェムト基地局経由で前記無線端末装置へ送信するための第１の通信部と、
前記無線基地局装置のうち前記フェムト基地局以外の無線基地局装置経由で前記無線端末装置から受信した通信データを前記上位ネットワークへ送信するか、または、前記上位ネットワークから受信した通信データを前記フェムト基地局以外の無線基地局装置経由で前記無線端末装置へ送信するための第２の通信部とを備える、ゲートウェイ装置。
【請求項１６】
無線端末装置と通信可能な１または複数の無線基地局装置のうちフェムト基地局を管理するための第１の制御部と、前記無線基地局装置のうち前記フェムト基地局以外の無線基地局装置を管理するための第２の制御部とを備える通信制御装置における通信制御方法であって、
前記第１の制御部または前記第２の制御部のうち一方の制御部が、所定情報を他方の制御部へ出力するステップと、
前記他方の制御部が、所定情報を前記一方の制御部へ出力するステップとを含む、通信制御方法。
【請求項１７】
無線端末装置と通信可能な１または複数の無線基地局装置のうちフェムト基地局と上位ネットワークとの間に接続される第１の通信部と、
前記無線基地局装置のうち前記フェムト基地局以外の無線基地局装置と前記上位ネットワークとの間に接続される第２の通信部とを備えるゲートウェイ装置における通信制御方法であって、
前記第１の通信部が、前記フェムト基地局経由で前記無線端末装置から受信した通信データを前記上位ネットワークへ送信するか、または、前記上位ネットワークから受信した通信データを前記フェムト基地局経由で前記無線端末装置へ送信するステップと、
前記第２の通信部が、前記フェムト基地局以外の無線基地局経由で前記無線端末装置から受信した通信データを上位ネットワークへ送信するか、または、前記上位ネットワークから受信した通信データを前記フェムト基地局以外の無線基地局経由で前記無線端末装置へ送信するステップとを含む、通信制御方法。
【請求項１８】
無線端末装置と通信可能な１または複数の無線基地局装置のうちフェムト基地局を管理するための第１の制御部と、前記無線基地局装置のうち前記フェムト基地局以外の無線基地局装置を管理するための第２の制御部とを備える通信制御装置において用いられる通信制御プログラムであって、
コンピュータに、
前記第１の制御部または前記第２の制御部のうち一方の制御部が、所定情報を他方の制御部へ出力するステップと、
前記他方の制御部が、所定情報を前記一方の制御部へ出力するステップとを実行させるための、通信制御プログラム。
【請求項１９】
無線端末装置と通信可能な１または複数の無線基地局装置のうちフェムト基地局と上位ネットワークとの間に接続される第１の通信部と、
前記無線基地局装置のうち前記フェムト基地局以外の無線基地局装置と前記上位ネットワークとの間に接続される第２の通信部とを備えるゲートウェイ装置において用いられる通信制御プログラムであって、
コンピュータに、
前記第１の通信部が、前記フェムト基地局経由で前記無線端末装置から受信した通信データを前記上位ネットワークへ送信するか、または、前記上位ネットワークから受信した通信データを前記フェムト基地局経由で前記無線端末装置へ送信するステップと、
前記第２の通信部が、前記フェムト基地局以外の無線基地局経由で前記無線端末装置から受信した通信データを上位ネットワークへ送信するか、または、前記上位ネットワークから受信した通信データを前記フェムト基地局以外の無線基地局経由で前記無線端末装置へ送信するステップとを実行させるための、通信制御プログラム。
【発明の詳細な説明】
【技術分野】
【０００１】
本発明は、通信制御装置、ゲートウェイ装置、通信制御方法および通信制御プログラム
に関し、特に、無線端末装置が無線基地局装置との間で通信可能な通信システムにおける通信制御装置、ゲートウェイ装置、通信制御方法および通信制御プログラムに関する。
【背景技術】
【０００２】
従来、移動通信システムでは、半径数百メートルから数十キロメートルのセルすなわち無線端末装置が通信可能なエリアを形成する無線基地局装置（以下、マクロ基地局とも称する。）による通信サービスが提供されてきた。
【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。
【０００４】
これらの要望と併せて、無線基地局装置で使用される種々のデバイスの処理能力が飛躍的に向上したことによって無線基地局装置の小型化が進み、このような小型化された基地局が注目を集めている。
【０００５】
この小型基地局（以下、フェムト基地局とも称する。）が形成するフェムトセル（Femto Cell）の半径は１０メートル前後と小さいため、フェムト基地局は、マクロ基地局が形成するマクロセル（Macro Cell）の圏外となりマクロ基地局の設置が困難な屋内および地下街等の場所で使用されることが考えられる。
【０００６】
また、フェムト基地局は特定のエリアに多数設置されることから、フェムト基地局を直接コアネットワークに接続することは難しい。このため、特定のエリアに設置された多数のフェムト基地局を一旦、ＨｅＮＢ−ＧＷ等の中継装置に接続し、フェムト基地局とコアネットワークとをＨｅＮＢ−ＧＷ経由で接続することが考えられる。
【０００７】
また、フェムト基地局に加えて、マクロ基地局をベースに、たとえば半径１００メートルから２００メートルのピコセルを形成するピコ基地局も開発されている。そして、このようなフェムト基地局、ピコ基地局およびマクロ基地局が混在する通信システムであるヘテロジーニアスネットワークでは、たとえばマクロセル内に複数のフェムトセルまたはピコセルが形成される（非特許文献１）。
【先行技術文献】
【非特許文献】
【０００８】
【非特許文献１】3GPP TS 36.300 V10.5.0 2011.10
【発明の概要】
【発明が解決しようとする課題】
【０００９】
しかしながら、フェムト基地局は設置の自由度が高く設置数が増加傾向にあるため、コアネットワークに設けられたＭＭＥ（Mobility  Management  Entity）などの通信制御装置の管理対象が増加する。このため、例えば、複数のフェムトセルが形成されたマクロセル内を無線端末装置が移動することにより無線端末装置の通信相手となる無線基地局装置が切り替わる場合のように、フェムト基地局などの無線基地局装置とコアネットワークとの間の通信が行われる場合に、多くの無線基地局装置からＭＭＥへのアクセスが集中し、ＭＭＥに多大な負荷がかかるという問題がある。
【００１０】
また、ＨｅＮＢ−ＧＷ等の中継装置経由でフェムト基地局とコアネットワークとを接続することによりＭＭＥの管理対象を少なくして、ＭＭＥに集中するアクセスを分散させることが考えられる。
【００１１】
しかしながら、このような構成を採用する場合には、フェムト基地局と中継装置との間の情報の送受信およびマクロ基地局とＭＭＥとの間の情報の送受信に加えて、さらに、ＭＭＥと中継装置との間の情報の送受信が必要となり、結果として通信システムにおいて行われる情報の送受信が増加する。
【００１２】
この発明は、上述の課題を解決するためになされたもので、その目的は、コアネットワークに設けられた通信制御装置またはゲートウェイ装置などにかかる負荷を軽減させることができ、かつ、情報の送受信の増加を抑えることができる通信制御装置、ゲートウェイ装置、通信制御方法および通信制御プログラムを提供することである。
【課題を解決するための手段】
【００１３】
（１）上記課題を解決するために、この発明のある局面に係わる通信制御装置は、無線端末装置と通信可能な１または複数の無線基地局装置を管理するための通信制御装置であって、上記無線基地局装置のうちフェムト基地局を管理するための第１の制御部と、上記無線基地局装置のうち上記フェムト基地局以外の無線基地局装置を管理するための第２の制御部とを備える。
【００１４】
このような構成により、中継装置を設けることなく通信制御装置に集中するアクセスを分散させることができるため、通信制御装置にかかる負荷を軽減させることができ、かつ、情報の送受信の増加を抑えることができる。
【００１５】
また、このように、フェムト基地局を管理する第１の制御部と、フェムト基地局以外の基地局を管理する第２の制御部とに分けられていることにより、フェムト基地局の設置数が増加して第１の制御部へのアクセスが集中する場合であっても、当該アクセスの集中に影響されることなくフェムト基地局以外の基地局と第２の制御部との間の通信を円滑に行うことができる。
【００１６】
（２）好ましくは、上記第１の制御部および上記第２の制御部は、上記通信制御装置間の通信用に規定されたインタフェースを用いることなく互いに通信する。
【００１７】
このように、第１の制御部および第２の制御部は、論理的なインタフェースを用いて互いに通信するため、通信システムにおいて行われる情報の送受信の増加を防ぐことができる。
【００１８】
（３）好ましくは、上記通信制御装置は、上記第１の制御部を複数備える。
【００１９】
このような構成により、フェムト基地局の設置数が増加した場合であっても、多数のフェムト基地局と通信制御装置との間のアクセスを分散させることができる。
【００２０】
（４）好ましくは、上記第１の制御部および上記第２の制御部のうち一方の制御部は、上記無線端末装置のコアネットワークへのアタッチ要求を対応する上記無線基地局装置から受信して、他方の制御部へ上記無線端末装置の端末情報の問合せを行い、上記他方の制御部は、上記端末情報の問合せを受けて、上記端末情報を有している場合には上記端末情報を上記一方の制御部へ出力する。
【００２１】
このような構成により、無線端末装置のコアネットワークへのアタッチ処理が行われる場合であっても、通信制御装置にかかる負荷を軽減させることができ、かつ、情報の送受信の増加を抑えることができる。また、他方の制御部が端末情報を有している場合には、一方の制御部は無線端末装置に端末情報を問合せることなく、他方の制御部から端末情報を取得することができる。
【００２２】
（５）好ましくは、上記他方の制御部は、上記端末情報の問合せを受けて、上記端末情報を有していない場合には、有していないことを示す通知を上記一方の制御部へ出力するか、または、上記無線端末装置が過去に通信を行った上記無線基地局装置を管理対象とする他の上記通信制御装置へ上記端末情報の問合せを行う。
【００２３】
このように、上記一方の制御部は、上記他方の制御部が端末情報を有していないことを示す通知を取得することにより、上記他方の制御部が端末情報を有していないことを認識することができる。また、上記他方の制御部が他の通信制御装置へ端末情報の問合せを行うことにより、上記他方の制御部は、自己が端末情報を有していない場合であっても端末情報を取得し得る。
【００２４】
（６）好ましくは、上記第１の制御部および上記第２の制御部のうち一方の制御部は、上記無線端末装置のトラッキングエリア更新要求を対応する上記無線基地局装置から受信して、他方の制御部へ上記無線端末装置の端末情報の問合せを行い、上記他方の制御部は、上記端末情報の問合せを受けて、上記端末情報を有している場合には上記端末情報を上記一方の制御部へ出力する。
【００２５】
このような構成により、無線端末装置のトラッキングエリアの更新処理が行われる場合であっても、通信制御装置にかかる負荷を軽減させることができ、かつ、情報の送受信の増加を抑えることができる。また、上記他方の制御部が端末情報を有している場合には、上記一方の制御部は無線端末装置に端末情報を問合せることなく、上記他方の制御部から端末情報を取得することができる。
【００２６】
（７）好ましくは、上記他方の制御部は、上記端末情報の問合せを受けて、上記端末情報を有していない場合には、上記無線端末装置が過去に通信を行った上記無線基地局装置を管理対象とする他の上記通信制御装置へ上記端末情報の問合せを行う。
【００２７】
このように、上記他方の制御部が他の通信制御装置へ端末情報の問合せを行うため、上記他方の制御部は、自己が端末情報を有していない場合であっても端末情報を取得し得る。
【００２８】
（８）好ましくは、上記第１の制御部および上記第２の制御部のうち上記無線端末装置のハンドオーバ先の上記無線基地局装置を管理する一方の制御部は、上記無線端末装置のハンドオーバ動作が完了した後にハンドオーバ先の上記無線基地局装置から所定情報を受信して、ハンドオーバ元の上記無線基地局装置が他方の制御部の管理対象である場合に、上記他方の制御部へ上記無線端末装置の端末情報の問合せを行い、上記他方の制御部は、上記一方の制御部から上記端末情報の問合せを受けて、上記端末情報を上記一方の制御部へ出力する。
【００２９】
このような構成により、たとえばＸ２インタフェースを介した無線端末装置のハンドオーバ動作が行われる場合であっても、通信制御装置にかかる負荷を軽減させることができ、かつ、情報の送受信の増加を抑えることができる。また、上記一方の制御部は無線端末装置に端末情報を問合せることなく、上記他方の制御部から端末情報を取得することができる。
【００３０】
（９）好ましくは、上記他方の制御部は、上記一方の制御部から上記端末情報の問合せを受けると、上記端末情報を削除する。
【００３１】
このような構成により、上記他方の制御部にとって不要な端末情報が、上記他方の制御部に記録され続けることを防ぐことができる。
【００３２】
（１０）好ましくは、上記第１の制御部および上記第２の制御部のうち上記無線端末装置のハンドオーバ元の前記無線基地局装置を管理する一方の制御部は、上記無線端末装置のハンドオーバ動作を行うためのハンドオーバ要求を上記ハンドオーバ元の上記無線基地局装置から受信して、ハンドオーバ先の上記無線基地局装置が他方の制御部の管理対象である場合に、上記ハンドオーバ要求および上記無線端末装置の識別情報を上記他方の制御部へ出力し、上記他方の制御部は、上記一方の制御部から取得した上記ハンドオーバ要求をハンドオーバ先の上記無線基地局装置へ送信し、上記ハンドオーバ先の上記無線基地局装置から上記ハンドオーバ要求に対する応答通知を受信すると、上記応答通知を上記一方の制御部へ出力する。
【００３３】
このような構成により、たとえばＳ１インタフェースを介した無線端末装置のハンドオーバ動作が行われる場合であっても、通信制御装置にかかる負荷を軽減させることができ、かつ、情報の送受信の増加を抑えることができる。
【００３４】
（１１）好ましくは、上記一方の制御部は、上記他方の制御部から上記応答通知を取得した後、上記ハンドオーバ元の上記無線基地局装置の状態を示す状態通知を上記ハンドオーバ元の上記無線基地局装置から受信すると、上記他方の制御部へ上記状態通知を出力し、上記他方の制御部は、上記一方の制御部から上記状態通知を取得して、上記状態通知に対する応答通知を上記一方の制御部へ出力する。
【００３５】
このような構成により、上記他方の制御部は、ハンドオーバ元の無線基地局装置の状態を認識することができる。
【００３６】
（１２）好ましくは、上記他方の制御部は、上記一方の制御部から上記状態通知を取得した後、上記ハンドオーバ先の上記無線基地局装置から上記ハンドオーバ動作の完了通知を受信すると、上記完了通知を上記一方の制御部へ出力する。
【００３７】
このような構成により、上記一方の制御部は、ハンドオーバ動作が完了したことを認識することができる。
【００３８】
（１３）好ましくは、上記一方の制御部は、上記他方の制御部から前記完了通知を取得すると、上記無線端末装置の端末情報を削除する。
【００３９】
このような構成により、上記一方の制御部にとって不要な端末情報が、上記一方の制御部に記録され続けることを防ぐことができる。
【００４０】
（１４）好ましくは、上記第１の制御部および上記第２の制御部のうち上記無線端末装置のハンドオーバ元の前記無線基地局装置を管理する一方の制御部は、上記無線端末装置のハンドオーバ動作を行うためのハンドオーバ要求を上記ハンドオーバ元の上記無線基地局装置から受信して、ハンドオーバ先の上記無線基地局装置が他方の制御部の管理対象である場合に、上記ハンドオーバ要求および上記無線端末装置の識別情報を上記他方の制御部へ出力し、上記他方の制御部は、上記一方の制御部から取得した上記ハンドオーバ要求をハンドオーバ先の上記無線基地局装置へ送信し、ハンドオーバ先の上記無線基地局装置から上記ハンドオーバ動作の拒否通知を受信すると、上記拒否通知を上記一方の制御部へ出力する。
【００４１】
このような構成により、たとえばＳ１インタフェースを介した無線端末装置のハンドオーバ動作が行われる場合であっても、通信制御装置にかかる負荷を軽減させることができ、かつ、情報の送受信の増加を抑えることができる。
【００４２】
（１５）上記課題を解決するために、この発明のある局面に係わるゲートウェイ装置は、無線端末装置と通信可能な１または複数の無線基地局装置と上位ネットワークとの間に接続され、上記無線基地局装置経由で上記無線端末装置から受信した通信データを上記上位ネットワークへ送信するとともに、上記上位ネットワークから受信した通信データを上記無線基地局装置経由で上記無線端末装置へ送信するためのゲートウェイ装置であって、上記無線基地局装置のうちフェムト基地局経由で上記無線端末装置から受信した通信データを上記上位ネットワークへ送信するか、または、上記上位ネットワークから受信した通信データを上記フェムト基地局経由で上記無線端末装置へ送信するための第１の通信部と、上記無線基地局装置のうち上記フェムト基地局以外の無線基地局装置経由で上記無線端末装置から受信した通信データを上記上位ネットワークへ送信するか、または、上記上位ネットワークから受信した通信データを上記フェムト基地局以外の無線基地局装置経由で上記無線端末装置へ送信するための第２の通信部とを備える。
【００４３】
このような構成により、中継装置を設けることなくゲートウェイ装置に集中するアクセスを分散させることができるため、ゲートウェイ装置にかかる負荷を軽減させることができ、かつ、情報の送受信の増加を抑えることができる。
【００４４】
また、このように、フェムト基地局との間で通信データの送受信を行う第１の通信部と、フェムト基地局以外の基地局との間で通信データの送受信を行う第２の通信部とに分けられていることにより、フェムト基地局の設置数が増加して第１の通信部へのアクセスが集中する場合であっても、当該アクセスの集中に影響されることなくフェムト基地局以外の基地局と第２の通信部との間の通信データの送受信を円滑に行うことができる。
【００４５】
（１６）上記課題を解決するために、この発明のある局面に係わる通信制御方法は、無線端末装置と通信可能な１または複数の無線基地局装置のうちフェムト基地局を管理するための第１の制御部と、上記無線基地局装置のうち上記フェムト基地局以外の無線基地局装置を管理するための第２の制御部とを備える通信制御装置における通信制御方法であって、上記第１の制御部または上記第２の制御部のうち一方の制御部が、所定情報を他方の制御部へ出力するステップと、上記他方の制御部が、所定情報を上記一方の制御部へ出力するステップとを含む。
【００４６】
このような構成により、中継装置を設けることなく通信制御装置に集中するアクセスを分散させることができるため、通信制御装置にかかる負荷を軽減させることができ、かつ、情報の送受信の増加を抑えることができる。
【００４７】
また、このように、フェムト基地局を管理する第１の制御部と、フェムト基地局以外の基地局を管理する第２の制御部とに分けられていることにより、フェムト基地局の設置数が増加して第１の制御部へのアクセスが集中する場合であっても、当該アクセスの集中に影響されることなくフェムト基地局以外の基地局と第２の制御部との間の通信を円滑に行うことができる。
【００４８】
（１７）上記課題を解決するために、この発明のある局面に係わる通信制御方法は、無線端末装置と通信可能な１または複数の無線基地局装置のうちフェムト基地局と上位ネットワークとの間に接続される第１の通信部と、上記無線基地局装置のうち上記フェムト基地局以外の無線基地局装置と上記上位ネットワークとの間に接続される第２の通信部とを備えるゲートウェイ装置における通信制御方法であって、上記第１の通信部が、上記フェムト基地局経由で上記無線端末装置から受信した通信データを上記上位ネットワークへ送信するか、または、上記上位ネットワークから受信した通信データを上記フェムト基地局経由で上記無線端末装置へ送信するステップと、上記第２の通信部が、上記フェムト基地局以外の無線基地局経由で上記無線端末装置から受信した通信データを上位ネットワークへ送信するか、または、上記上位ネットワークから受信した通信データを上記フェムト基地局以外の無線基地局経由で上記無線端末装置へ送信するステップとを含む。
【００４９】
このような構成により、中継装置を設けることなくゲートウェイ装置に集中するアクセスを分散させることができるため、ゲートウェイ装置にかかる負荷を軽減させることができ、かつ、情報の送受信の増加を抑えることができる。
【００５０】
また、このように、フェムト基地局との間で通信データの送受信を行う第１の通信部と、フェムト基地局以外の基地局との間で通信データの送受信を行う第２の通信部とに分けられていることにより、フェムト基地局の設置数が増加して第１の通信部へのアクセスが集中する場合であっても、当該アクセスの集中に影響されることなくフェムト基地局以外の基地局と第２の通信部との間の通信データの送受信を円滑に行うことができる。
【００５１】
（１８）上記課題を解決するために、この発明のある局面に係わる通信制御プログラムは、無線端末装置と通信可能な１または複数の無線基地局装置のうちフェムト基地局を管理するための第１の制御部と、上記無線基地局装置のうち上記フェムト基地局以外の無線基地局装置を管理するための第２の制御部とを備える通信制御装置において用いられる通信制御プログラムであって、コンピュータに、上記第１の制御部または上記第２の制御部のうち一方の制御部が、所定情報を他方の制御部へ出力するステップと、上記他方の制御部が、所定情報を上記一方の制御部へ出力するステップとを実行させるためのプログラムである。
【００５２】
このような構成により、中継装置を設けることなく通信制御装置に集中するアクセスを分散させることができるため、通信制御装置にかかる負荷を軽減させることができ、かつ、情報の送受信の増加を抑えることができる。
【００５３】
また、このように、フェムト基地局を管理する第１の制御部と、フェムト基地局以外の基地局を管理する第２の制御部とに分けられていることにより、フェムト基地局の設置数が増加して第１の制御部へのアクセスが集中する場合であっても、当該アクセスの集中に影響されることなくフェムト基地局以外の基地局と第２の制御部との間の通信を円滑に行うことができる。
【００５４】
（１９）上記課題を解決するために、この発明のある局面に係わる通信制御プログラムは、無線端末装置と通信可能な１または複数の無線基地局装置のうちフェムト基地局と上位ネットワークとの間に接続される第１の通信部と、上記無線基地局装置のうち上記フェムト基地局以外の無線基地局装置と上記上位ネットワークとの間に接続される第２の通信部とを備えるゲートウェイ装置において用いられる通信制御プログラムであって、コンピュータに、上記第１の通信部が、上記フェムト基地局経由で上記無線端末装置から受信した通信データを上記上位ネットワークへ送信するか、または、上記上位ネットワークから受信した通信データを上記フェムト基地局経由で上記無線端末装置へ送信するステップと、上記第２の通信部が、上記フェムト基地局以外の無線基地局経由で上記無線端末装置から受信した通信データを上位ネットワークへ送信するか、または、上記上位ネットワークから受信した通信データを上記フェムト基地局以外の無線基地局経由で上記無線端末装置へ送信するステップとを実行させるためのプログラムである。
【００５５】
このような構成により、中継装置を設けることなくゲートウェイ装置に集中するアクセスを分散させることができるため、ゲートウェイ装置にかかる負荷を軽減させることができ、かつ、情報の送受信の増加を抑えることができる。
【００５６】
また、このように、フェムト基地局との間で通信データの送受信を行う第１の通信部と、フェムト基地局以外の基地局との間で通信データの送受信を行う第２の通信部とに分けられていることにより、フェムト基地局の設置数が増加して第１の通信部へのアクセスが集中する場合であっても、当該アクセスの集中に影響されることなくフェムト基地局以外の基地局と第２の通信部との間の通信データの送受信を円滑に行うことができる。
【発明の効果】
【００５７】
本発明によれば、コアネットワークに設けられた通信制御装置またはゲートウェイ装置などにかかる負荷を軽減させることができ、かつ、情報の送受信の増加を抑えることができる。
【図面の簡単な説明】
【００５８】
【図１】本発明の実施の形態に係るＭＭＥを備える通信システムの構成を示す図である。
【図２】本発明の実施の形態に係るＭＭＥを備える通信システムにおいて無線端末装置の移動動作が行なわれる状況の一例を示す図である。
【図３】本発明の実施の形態に係るＭＭＥを備える通信システムによるセル再選択のシーケンスの一例を示す図である。
【図４】フェムト基地局の設置数の増加に伴う課題を説明するための図（その１）である。
【図５】フェムト基地局の設置数の増加に伴う課題を説明するための図（その２）である。
【図６】本発明の実施の形態に係るＭＭＥの構成を示す図である。
【図７】本発明の実施の形態に係るＭＭＥを備える通信システムにおけるアタッチ処理の動作の流れを示すシーケンス図である。
【図８】本発明の実施の形態に係るＭＭＥを備える通信システムにおけるトラッキングエリア更新処理の動作の流れを示すシーケンス図である。
【図９】本発明の実施の形態に係るＭＭＥを備える通信システムにおけるハンドオーバ動作およびデータフォワーディング動作のシーケンスの一例を示す図である。
【図１０】本発明の実施の形態に係るＭＭＥを備える通信システムにおけるハンドオーバ動作およびデータフォワーディング動作のシーケンスの一例を示す図である。
【図１１】本発明の実施の形態に係るＭＭＥを備える通信システムにおけるハンドオーバ動作およびデータフォワーディング動作のシーケンスの一例を示す図である。
【図１２】本発明の実施の形態の変形例に係るＳ−ＧＷの構成を示す図である。
【発明を実施するための形態】
【００５９】
以下、本発明の実施の形態について図面を用いて説明する。なお、図中同一または相当部分には同一符号を付してその説明は繰り返さない。
【００６０】
無線基地局装置は、自らの形成するセルおよび周辺セルについての情報、すなわち無線信号の周波数および周辺セルのＩＤ（identification）等を無線端末装置に通知する。無線端末装置は、無線基地局装置から通知された情報に基づいて、周辺セルの検出および測定を行なう。無線端末装置は、この測定結果に基づいて、周辺セルへの移動を開始する。ここで、無線端末装置の「移動」とは、ハンドオーバを意味することに加えて、アイドル状態の無線端末装置が今後通信を開始する、すなわち通話またはデータ通信を開始する際にどのセルを介して通信を行なうかを選択することを意味する。
【００６１】
たとえば、無線端末装置が無線基地局装置と通信しているときには、無線端末装置の移動先は無線基地局装置またはコアネットワークにおける上位装置が決定する。また、たとえば、無線端末装置が無線基地局装置と通信していないときには、無線端末装置の移動先は無線端末装置が決定する。
【００６２】
また、ハンドオーバとは、通話中またはデータ通信中の無線端末装置の通信相手となる無線基地局装置が切り替えられることを意味する。
【００６３】
また、無線端末装置がセルに在圏している、とは、無線端末装置が、当該セルを形成する無線基地局装置を通信先として選択し、かつ当該無線基地局装置と通信可能な状態または通信中である状態を意味する。
【００６４】
フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【００６５】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【００６６】
本発明の実施の形態に係るＭＭＥ１６２を備える通信システム４０１においても、このような３ＧＰＰの定義を適用してもよい。
【００６７】
また、上記定義と合わせて、あるいは別個に、以下のような定義を適用することも可能である。
【００６８】
マクロ基地局およびピコ基地局は、事業者の管理下にあり、事業者と契約している無線基地局装置が通信可能な無線基地局装置である。また、マクロ基地局およびピコ基地局は、基本的に電源がオフになることはないと考えられる。
【００６９】
また、フェムト基地局は、主に個人または法人の建物内に設置され、ユーザの事情により移動するまたは電源がオフとなる可能性がある無線基地局装置である。
【００７０】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局およびピコ基地局と同じ動作をする。
【００７１】
［構成および基本動作］
図１は、本発明の実施の形態に係るＭＭＥ１６２を備える通信システム４０１の構成を示す図である。
【００７２】
図１を参照して、通信システム４０１は、たとえば３ＧＰＰで規格化されたＬＴＥ（Long Term Evolution）に従う移動体通信システムであり、無線基地局装置１０１Ａ，１０１Ｂを備える。無線基地局装置１０１Ａは、フェムトセルを構成するフェムト基地局であり、無線基地局装置１０１Ｂは、マクロセルを構成するマクロ基地局またはピコセルを構成するピコ基地局などである。
【００７３】
図１では、３つの無線基地局装置１０１Ａと、１つの無線基地局装置１０１Ｂとを代表的に示しているが、さらに多数の無線基地局装置１０１Ａ，１０１Ｂが設けられてもよい。通信システム４０１は、さらに、コアネットワーク３０１に設けられたＳ−ＧＷ（Serving Gateway）１６１と、ＭＭＥ（Mobility  Management  Entity）１６２と、Ｐ−ＧＷ（Packet Data Network Gateway）１６３と、ＨＳＳ（Home Subscriber Server）１６４とを含む。
【００７４】
無線端末装置２０２は、無線基地局装置１０１Ａまたは無線基地局装置１０１Ｂと、Ｓ−ＧＷ１６１と、Ｐ−ＧＷ１６３とを介してＩＰ網３０２（以下、上位ネットワークとも称する）におけるサーバ等と通信コネクションを確立し、たとえばＩＰ（Internet Protocol）パケットを含む通信データを送受信する。
【００７５】
Ｓ−ＧＷ１６１は、無線基地局装置１０１Ａ，１０１ＢとＩＰ網３０２との間に接続されている。Ｓ−ＧＷ１６１は、無線基地局装置１０１Ａ，１０１Ｂ経由で無線端末装置２０２から受信した通信データをＰ−ＧＷ１６３経由でＩＰ網３０２へ送信するとともに、ＩＰ網３０２におけるサーバ等からＰ−ＧＷ１６３経由で受信した通信データを無線基地局装置１０１Ａ，１０１Ｂ経由で無線端末装置２０２へ送信する。
【００７６】
ＭＭＥ１６２は、通信システム４０１における無線基地局装置１０１Ａ，１０１Ｂ、および無線端末装置２０２等を管理する。ＭＭＥ１６２は、無線基地局装置１０１Ａ，１０１Ｂとの間で制御メッセージを送受信する。
【００７７】
無線基地局装置１０１Ａ，１０１Ｂは、Ｓ−ＧＷ１６１およびＰ−ＧＷ１６３を介してＩＰ網３０２との間で通信データを送受信する。無線基地局装置１０１Ａ，１０１ＢおよびＳ−ＧＷ１６１は、論理的なインタフェースであるＳ１−Ｕインタフェースに従う通信データを互いに送受信することにより、Ｓ１−Ｕインタフェース経由で種々の情報を互いにやり取りする。
【００７８】
無線基地局装置１０１Ａ，１０１Ｂ、および、ＭＭＥ１６２は、点線で示すように、論理的なインタフェースであるＳ１−ＭＭＥインタフェースに従う通信データを互いに送受信することにより、Ｓ１−ＭＭＥインタフェース経由で種々の情報を互いにやり取りする。
【００７９】
ＭＭＥ１６２およびＳ−ＧＷ１６１は、論理的なインタフェースであるＳ１１インタフェースに従う通信データを互いに送受信することにより、Ｓ１１インタフェース経由で種々の情報を互いにやり取りする。
【００８０】
また、無線端末装置２０２の加入者情報を管理するＨＳＳ１６４、および、ＭＭＥ１６２は、論理的なインタフェースであるＳ６ａインタフェースに従う通信データを互いに送受信することにより、Ｓ６ａインタフェース経由で種々の情報を互いにやり取りする。
【００８１】
Ｓ−ＧＷ１６１およびＰ−ＧＷ１６３は、論理的なインタフェースであるＳ５インタフェースに従う通信データを互いに送受信することにより、Ｓ５インタフェース経由で種々の情報を互いにやり取りする。
【００８２】
図２は、本発明の実施の形態に係るＭＭＥ１６２を備える通信システム４０１において無線端末装置２０２の移動動作が行なわれる状況の一例を示す図である。
【００８３】
図２を参照して、無線基地局装置１０１Ａは、セルＣＡを形成し、セルＣＡ内に存在する無線端末装置２０２と無線信号を送受信することにより、当該無線端末装置２０２と通信することが可能である。無線基地局装置１０１Ｂは、セルＣＢを形成し、セルＣＢ内に存在する無線端末装置２０２と無線信号を送受信することにより、当該無線端末装置２０２と通信することが可能である。
【００８４】
ここで、無線端末装置２０２からコアネットワーク３０１への方向を上り方向と称し、コアネットワーク３０１から無線端末装置２０２への方向を下り方向と称する。
【００８５】
また、無線端末装置２０２の移動元の無線基地局装置をサービング基地局とも称し、移動先の無線基地局装置をターゲット基地局とも称する。以下、無線基地局装置１０１Ａがサービング基地局であり、無線基地局装置１０１Ｂがターゲット基地局である場合について説明する。
【００８６】
本発明の実施の形態に係るＭＭＥ１６２を備える通信システム４０１において、無線基地局装置１０１Ａ，１０１Ｂおよび無線端末装置２０２は、以下の各シーケンスの各ステップを含むプログラムを図示しないメモリから読み出して実行する。このプログラムは、外部からインストールすることができる。このインストールされるプログラムは、たとえば記録媒体に格納された状態で流通する。
【００８７】
本発明の実施の形態に係るＭＭＥ１６２を備える通信システム４０１において、無線基地局装置１０１Ａ，１０１Ｂでは、ハンドオーバ動作の実行判断に電力測定処理（Measurement）を利用する。この電力測定処理は、たとえば３ＧＰＰでは、レイヤ３スタックのＲＲＣ（Radio Resource Control）に対応する。
【００８８】
電力測定処理には、たとえば、周期的電力測定処理（Periodic Measurement）およびイベント起動電力測定処理（Event Triggered Measurement）の２種類がある。イベント起動電力測定処理における測定結果通知（Measurement Report）の送信は、無線端末装置２０２における電波環境が所定条件を満たしたことによって開始される。
【００８９】
たとえば３ＧＰＰでは、周期的電力測定処理の報告周期は１２０ミリ秒〜６０分で設定可能あり、イベント起動電力測定処理の報告周期は０〜５１２０ミリ秒で設定可能であるが、”ＴＳ３６．５０８”および”ＴＳ３６．５２３”において推奨値として記載されているように、測定結果の報告周期の最短時間は、イベントＡ１の２５６ミリ秒であり、それほど短くない。
【００９０】
まず、本発明の実施の形態に係るＭＭＥ１６２を備える通信システム４０１によるセル再選択の動作の流れについて説明する。
【００９１】
図３は、本発明の実施の形態に係るＭＭＥ１６２を備える通信システム４０１によるセル再選択のシーケンスの一例を示す図である。
【００９２】
ここでは、図２に示すように、無線端末装置２０２が、セルＣＡ内に位置し、無線基地局装置１０１Ａを通信相手として選択してから、セルＣＡおよびセルＣＢの重複領域へ移動した場合を想定する。
【００９３】
図３を参照して、まず、無線端末装置２０２は、無線基地局装置１０１Ａを新たに通信相手として選択することを決定すると、無線基地局装置１０１Ａから送信される報知情報を受信し（ステップＳ１）、受信した報知情報の内容を保存する（ステップＳ２）。この報知情報に、周辺セル情報、およびセル再選択を行なうための情報が含まれる。
【００９４】
次に、無線端末装置２０２は、コアネットワーク３０１におけるＭＭＥ１６２等に対して新たなセルＣＡへ移動したことを通知するため、端末登録処理であるアタッチ処理（Attach Procedure）を実行する（ステップＳ３）。
【００９５】
次に、無線端末装置２０２は、サービング基地局である無線基地局装置１０１Ａから送信される無線信号の受信電力の測定を開始する。すなわち、無線端末装置２０２は、サービングセルの受信電力の測定を行なう。たとえば、無線端末装置２０２は、当該無線信号に含まれるパイロット信号を用いて受信電力を測定する（ステップＳ４）。
【００９６】
次に、無線端末装置２０２は、サービングセルの評価値であるＳ値を算出し、Ｓ値判定を行なう（ステップＳ５）。
【００９７】
無線端末装置２０２は、サービングセルのＳ値が所定条件を満たす場合には（ステップＳ５でＹＥＳ）、報知情報の示す周波数において、報知情報の示す周辺基地局から送信される無線信号の受信電力の測定を開始する。すなわち、無線端末装置２０２は、サービングセルに加えて、周辺セルの受信電力の測定を行なう。たとえば、無線端末装置２０２は、当該無線信号に含まれるパイロット信号を用いて受信電力を測定する（ステップＳ６）。
【００９８】
次に、無線端末装置２０２は、周辺セルの評価値であるＳ値を算出し、Ｓ値判定を行なう（ステップＳ７）。
【００９９】
無線端末装置２０２は、周辺セルのＳ値が所定条件を満たす場合には（ステップＳ７でＹＥＳ）、サービングセルおよび周辺セルの測定結果を用いて、サービングセルおよび周辺セルをたとえば受信電力品質の良い順に順位付けする（ステップＳ８）。
【０１００】
次に、無線端末装置２０２は、順位付けの結果、最上位のセルがサービングセルでは無かった場合には（ステップＳ９でＹＥＳ）、当該最上位セルへのセル再選択を行なう。すなわち、無線端末装置２０２は、最上位の周辺セルに対応する無線基地局装置、たとえば無線基地局装置１０１Ｂを新たに通信相手として選択することを決定する。そして、無線端末装置２０２は、無線基地局装置１０１Ｂからの報知情報を受信し（ステップＳ１０）、受信した報知情報の内容を保存する（ステップＳ１１）。
【０１０１】
次に、無線端末装置２０２は、コアネットワーク３０１におけるＭＭＥ１６２等に対して新たなセルＣＢへ移動したことを通知するため、端末登録処理であるアタッチ処理を実行する（ステップＳ１２）。
【０１０２】
［フェムト基地局の設置数の増加に伴う課題］
ここで、例えば、図４に示すように、複数のフェムトセルＣＡが形成されたマクロセルＣＢ内を無線端末装置２０２が移動する場合には、例えば図３で証明したセル再選択が行われ、無線端末装置２０２の通信接続先となる無線基地局装置１０１Ａ，１０１Ｂが切り替わる。このような場合には、無線端末装置２０２の通信接続先となる無線基地局装置１０１Ａ，１０１Ｂが切り替わる度に、無線基地局装置１０１Ａ，１０１ＢとコアネットワークのＭＭＥとの間の通信が行われる。そして、例えば無線端末装置２０２のアタッチ処理または後述するトラッキングエリアの更新処理が実行される。また、無線端末装置２０２が移動することによって、例えばハンドオーバ動作が実行される場合にも、上記と同様に無線基地局装置１０１Ａ，１０１ＢとコアネットワークのＭＭＥとの間の通信が行われる。
【０１０３】
しかしながら、フェムト基地局である無線基地局装置１０１Ａは設置の自由度が高く設置数が増加傾向にあるため、コアネットワークに設けられたＭＭＥの管理対象が増加する。このため、無線基地局装置１０１Ａ，１０１ＢとＭＭＥとの間の通信が行われる場合、多くの無線基地局装置１０１Ａ，１０１ＢからＭＭＥへのアクセスが集中することがあり、このような場合にはＭＭＥに多大な負荷がかかる。
【０１０４】
また、図５に示すように、ＨｅＮＢ−ＧＷ等の中継装置経由で無線基地局装置１０１ＡとＭＭＥとを接続することによりＭＭＥの管理対象を少なくして、ＭＭＥに集中するアクセスを分散させることが考えられる。
【０１０５】
しかしながら、このような構成を採用する場合には、無線基地局装置１０１Ａと中継装置との間の情報の送受信および無線基地局装置１０１ＢとＭＭＥとの間の情報の送受信に加えて、さらに、ＭＭＥと中継装置との間の情報の送受信が必要となり、結果として通信システムにおいて行われる情報の送受信が増加する。
【０１０６】
［本発明の実施の形態に係るＭＭＥの構成］
図６は、本発明の実施の形態に係るＭＭＥ１６２の構成を示す図である。図６を参照して、ＭＭＥ１６２は、論理的に分けられた制御部５１Ａ，５１Ｂと、ルーティング機能部５２とを有する。
【０１０７】
制御部５１Ａ（第１の制御部）は、無線基地局装置１０１Ａとの間で制御メッセージを送受信して、無線基地局装置１０１Ａを管理する。制御部５１Ｂ（第２の制御部）は、無線基地局装置１０１Ｂとの間で制御メッセージを送受信して、無線基地局装置１０１Ｂを管理する。
【０１０８】
例えば、ＭＭＥ１６２は第１のコア（Core）および第２のコアを集積したＣＰＵ（Central Processing Unit）を有し、第１のコアが制御部５１Ａとして機能し、第２のコアが制御部５１Ｂとして機能する。なお、必ずしもＭＭＥ１６２が複数のコアを集積したＣＰＵを有している必要はなく、これら制御部５１Ａおよび制御部５１Ｂが論理的に分かれてＭＭＥ間の通信用に規定されたインタフェースを用いることなく互いに通信する構成であれば足りる。
【０１０９】
例えば、ＭＭＥ１６２は複数の異なるＣＰＵを有し、第１のＣＰＵが制御部５１Ａとして機能し、第２のＣＰＵが制御部５１Ｂとして機能してもよい。また、例えば、ＭＭＥ１６２は複数の異なる基板を有し、第１の基板に制御部５１Ａが搭載され、第２の基板に制御部５１Ｂが搭載されてもよい。また、例えば、ＭＭＥ１６２は複数の異なる装置を有し、第１の装置に制御部５１Ａが搭載され、第２の装置に制御部５１Ｂが搭載されてもよい。しかしながら、制御部５１Ａと制御部５１Ｂとが互いに異なる装置に搭載されている場合には、これら制御部５１Ａおよび制御部５１Ｂ間の通信は所定の論理的なインタフェースを介して行われるため処理遅延が生じる可能性がある。このため、制御部５１Ａおよび制御部５１Ｂは、異なるコア、異なるＣＰＵまたは異なる基板によって分離されていることが好ましい。
【０１１０】
なお、図６では、１つの制御部５１Ａと、１つの制御部５１Ｂとを代表的に示しているが、さらに多数の制御部５１Ａ，５１Ｂが設けられてもよい。
【０１１１】
ルーティング機能部５２は、Ｓ−ＧＷ１６１またはＨＳＳ１６４との間で情報の送受信を行う。また、ルーティング機能部５２は、Ｓ−ＧＷ１６１またはＨＳＳ１６４から取得した情報を制御部５１Ａまたは制御部５１Ｂへ振り分けて出力する。すなわち、ルーティング機能部５２は、Ｓ−ＧＷ１６１またはＨＳＳ１６４から取得した情報のうち、制御部５１Ａまたは無線基地局装置１０１Ａ宛の情報を制御部５１Ａへ送信し、制御部５１Ｂまたは無線基地局装置１０１Ｂ宛の情報を制御部５１Ｂへ送信する。
【０１１２】
［動作］
次に、本発明の実施の形態に係るＭＭＥ１６２を備える通信システム４０１における動作の流れについて、アタッチ処理の動作、トラッキングエリア更新処理の動作、ハンドオーバ動作に分けて説明する。
【０１１３】
（アタッチ処理の動作）
図７は、本発明の実施の形態に係るＭＭＥ１６２を備える通信システム４０１におけるアタッチ処理の動作の流れを示すシーケンス図である。図７は、図３におけるステップＳ３またはステップＳ１２の動作を詳細に示すシーケンス図である。
【０１１４】
図７を参照して、無線端末装置２０２は、ある無線基地局装置１０１Ａを新たな通信接続先として選択すべきであると判断すると、ＲＲＣ（Radio Resource Control）コネクション要求（RRC Connection Request）を無線基地局装置１０１Ａへ送信する（ステップＳ１１１）。
【０１１５】
そして、無線基地局装置１０１ＡがＲＲＣコネクション要求を受信して、ＲＲＣコネクション情報（RRC Connection Setup）を無線端末装置２０２へ送信し、無線端末装置２０２がＲＲＣコネクション完了通知（RRC Connection Setup Complete）を無線基地局装置１０１Ａへ送信した後、無線基地局装置１０１Ａは、無線端末装置２０２から受信したアタッチ要求（Attach Request）をＭＭＥ１６２の制御部５１Ａへ送信する（ステップＳ１１２）。
【０１１６】
このアタッチ要求は、たとえば、無線端末装置２０２からのＲＲＣコネクション完了通知に含まれる。また、アタッチ要求は、無線端末装置２０２が、新たに移動したセルにおいて無線基地局装置を介した通信を可能にするために、ＭＭＥ１６２に対して自己の登録を要求するために送信する要求である。
【０１１７】
次に、制御部５１Ａは、無線基地局装置１０１Ａからアタッチ要求を受けて、制御部５１Ｂへ無線端末装置２０２の加入者情報（端末情報）の問合せを行う（ステップＳ１１３）。この加入者情報は、例えば、ＩＭＳＩ（International Mobile Subscriber Identity）またはＩＭＥＩ（International Mobile Equipment Identity）など、無線端末装置２０２の識別情報である。
【０１１８】
次に、制御部５１Ｂは、制御部５１Ａから加入者情報の問合せを受けて、加入者情報を有しているか否かを判断する（ステップＳ１１４）。
【０１１９】
次に、制御部５１Ｂは、過去に当該無線端末装置２０２のアタッチ処理を実行していない場合など、当該無線端末装置２０２の加入者情報を有していない場合には（ステップＳ１１４において「無」）、無線端末装置２０２が過去に通信を行った無線基地局装置１０１Ａ，１０１Ｂを管理対象とする他のＭＭＥへ加入者情報の問合せを行う（ステップＳ１１５）。このとき、制御部５１Ａから出力された加入者情報の問合せには、無線端末装置２０２が過去に通信を行った無線基地局装置１０１Ａ，１０１Ｂを管理する他のＭＭＥの識別情報が含まれており、制御部５１Ｂは、この識別情報に基づいて他のＭＭＥを特定することができる。
【０１２０】
次に、制御部５１Ｂは、加入者情報の問合せ先である他のＭＭＥから無線端末装置２０２の加入者情報を取得することができない場合には、加入者情報を有していないことを示す通知を制御部５１Ａへ出力する（ステップＳ１１６）。
【０１２１】
なお、制御部５１Ｂは、無線端末装置２０２が過去に通信を行った無線基地局装置１０１Ａ，１０１Ｂを管理する他のＭＭＥへの加入者情報の問合せを、必ずしも行う必要はない。例えば、制御部５１Ａから制御部５１Ｂへの加入者情報の問合せ（ステップＳ１１３）よりも前に、制御部５１Ａが他のＭＭＥへ加入者情報の問合せを行っても良い。また、制御部５１Ａが、制御部５１Ｂから加入者情報を有していないことを示す通知を受けた場合に（ステップＳ１１６）、制御部５１Ａが他のＭＭＥへ加入者情報の問合せを行っても良い。また、制御部５１Ｂによる加入者情報を有しているか否かの判断（ステップＳ１１４）よりも前に、制御部５１Ｂが他のＭＭＥに加入者情報の問合せを行っても良い。
【０１２２】
次に、制御部５１Ａは、制御部５１Ｂから加入者情報なしの通知を受けると、無線基地局装置１０１Ａを介して無線端末装置２０２へ加入者情報の送信を要求する（ＩＤ要求）（ステップＳ１１７）。
【０１２３】
次に、無線端末装置２０２は、制御部５１ＡからＩＤ要求を受けると、自己の識別情報（ＩＤ（Identification））を制御部５１Ａへ送信する（ＩＤ応答）（ステップＳ１１８）。
【０１２４】
一方、ステップＳ１１３において制御部５１Ａから加入者情報問合せを受けた制御部５１Ｂが加入者情報を有している場合（ステップＳ１１４において「有」）、または、制御部５１Ｂが他のＭＭＥへ加入者情報の問合せを行うことにより（ステップＳ１１５）他のＭＭＥから加入者情報を取得した場合には、加入者情報を制御部５１Ａへ出力する（ステップＳ１１９）。なお、制御部５１Ｂは、加入者情報を制御部５１Ａへ通知した後は、この加入者情報を解放してもよい。
【０１２５】
このようにして、制御部５１Ａが加入者情報を取得すると、認証処理およびセキュリティ情報の送受信が行われる（ステップＳ１２０）。
【０１２６】
具体的には、ＭＭＥ１６２の制御部５１Ａは、認証要求（Authentication Request）を無線基地局装置１０１Ａへ送信する。そして、無線基地局装置１０１Ａは、下りデータを無線端末装置２０２へ送信する。この下りデータに、たとえば制御部５１Ａからの認証要求の情報が含まれる。また、無線端末装置２０２は、上りデータを無線基地局装置１０１Ａへ送信する。この上りデータに、たとえば制御部５１Ａへの認証応答の情報が含まれる。
【０１２７】
そして、無線基地局装置１０１Ａが認証要求に対する認証応答を制御部５１Ａへ送信し、制御部５１ＡがＮＡＳ（Non-Access Stratum）層のセキュリティ処理としてセキュリティ情報（NAS Security Mode Command）を無線基地局装置１０１Ａへ送信する。そして、無線基地局装置１０１Ａは、制御部５１Ａから受信したセキュリティ情報に対するセキュリティ完了通知（NAS Security Mode Complete）を制御部５１Ａへ送信する。
【０１２８】
次に、制御部５１Ａは、上位ネットワークから無線端末装置２０２宛の下りのパケット、および、無線端末装置２０２から上位ネットワークへの上りのパケットがＳ−ＧＷ１６１を経由するように、Ｐ−ＧＷ１６３と無線基地局装置１０１Ａとの間の通信経路の作成をＳ−ＧＷ１６１へ要求する（Create Session Request）（ステップＳ１２１）。
【０１２９】
次に、Ｓ−ＧＷ１６１は、制御部５１Ａから通信経路の作成要求を受信して、Ｐ−ＧＷ１６３と無線基地局装置１０１Ａとの間の通信経路を作成し、通信経路の作成応答（Create Session Response）を制御部５１Ａへ送信する（ステップＳ１２２）。
【０１３０】
次に、制御部５１Ａは、Ｓ−ＧＷ１６１から通信経路の作成応答を受信して、セキュリティ情報（Security Mode Command）などの情報送信要求（Initial Context Setup Request）およびアタッチ受諾（Attach Accept）を無線基地局装置１０１Ａへ送信する（ステップＳ１２３）。
【０１３１】
なお、ＭＭＥ１６２の制御部５１Ａおよび無線基地局装置１０１Ａ間のメッセージについて、アタッチ受諾などはＳ１ＡＰプロトコルに従うメッセージとなり、これら以外はすべてＮＡＳ（ＭＭＥ）プロトコルに従うメッセージとなる。
【０１３２】
次に、無線基地局装置１０１Ａは、制御部５１Ａからセキュリティ情報などの情報送信要求およびアタッチ受諾を受信して、セキュリティ情報などの情報を無線端末装置２０２へ送信する。また、無線基地局装置１０１Ａは、無線端末装置２０２へＲＲＣ（Radio Resource Control）コネクション再構成指示（RRC Connection Reconfiguration）を送信する（ステップＳ１２４）。
【０１３３】
次に、無線端末装置２０２は、無線基地局装置１０１Ａからセキュリティ情報などを受信して、セキュリティ完了通知（Security Mode Complete）を無線基地局装置１０１Ａへ送信する。また、無線端末装置２０２は、無線基地局装置１０１ＡへＲＲＣコネクション再構成完了通知（RRC Connection Reconfiguration Complete）を送信する（ステップＳ１２５）。
【０１３４】
次に、無線基地局装置１０１Ａは、無線端末装置２０２からセキュリティ完了通知およびＲＲＣコネクション再構成完了通知を受信すると、情報送信要求に対する情報送信応答を制御部５１Ａへ送信する（ステップＳ１２６）。
【０１３５】
次に、無線端末装置２０２から伝送メッセージが送信されると（ステップＳ１２７）、無線基地局装置１０１Ａは、アタッチ完了通知（Attach Complete）を制御部５１Ａへ送信する（ステップＳ１２８）。
【０１３６】
そして、制御部５１Ａが端末情報解放指示（UE Context Release Command）を無線基地局装置１０１Ａへ送信し、無線基地局装置１０１ＡがＲＲＣコネクション解放要求（RRC Connection Release）を無線端末装置２０２へ送信する。これにより、無線端末装置２０２は、アイドル状態となる。また、無線基地局装置１０１Ａが端末情報解放完了通知（UE Context Release Complete）を制御部５１Ａへ送信する。
【０１３７】
なお、無線基地局装置１０１Ｂが、無線端末装置２０２の新たな通信接続先として選択された場合には、制御部５１Ａと制御部５１Ｂとの役割が入れ替わり、上記と同様の動作が行われる。
【０１３８】
（トラッキングエリア更新処理の動作）
図８は、本発明の実施の形態に係るＭＭＥ１６２を備える通信システム４０１におけるトラッキングエリア更新処理の動作の流れを示すシーケンス図である。
【０１３９】
図８を参照して、無線端末装置２０２は、ある無線基地局装置１０１Ａを新たな通信接続先として選択すべきであると判断すると、ＲＲＣ（Radio Resource Control）コネクション要求（RRC Connection Request）を無線基地局装置１０１Ａへ送信する（ステップＳ１３１）。
【０１４０】
そして、無線基地局装置１０１ＡがＲＲＣコネクション情報（RRC Connection Setup）を無線端末装置２０２へ送信し、無線端末装置２０２がＲＲＣコネクション完了通知（RRC Connection Setup Complete）を無線基地局装置１０１Ａへ送信した後、無線基地局装置１０１Ａは、無線端末装置２０２から受信したトラッキングエリア更新要求（Tracking Area Update Request）をＭＭＥ１６２の制御部５１Ａへ送信する（ステップＳ１３２）。
【０１４１】
このトラッキングエリア更新要求は、たとえば、無線端末装置２０２からのＲＲＣコネクション完了通知に含まれる。また、トラッキングエリア更新要求は、無線端末装置２０２が、あるセルに新たに移動したことにより、当該無線端末装置２０２が着信対象である場合の呼び出しエリアが変わったことをＭＭＥ１６２に対して通知するために送信する要求である。
【０１４２】
次に、制御部５１Ａは、無線基地局装置１０１Ａからトラッキングエリア更新要求を受けて、制御部５１Ｂへ無線端末装置２０２のＣｏｎｔｅｘｔ情報（端末情報）の問合せを行う（ステップＳ１３３）。このＣｏｎｔｅｘｔ情報は、例えば、ＩＭＳＩ（International Mobile Subscriber Identity）またはＩＭＥＩ（International Mobile Equipment Identity）など、無線端末装置２０２の識別情報に加えて、さらに、無線端末装置２０２が受けているサービスのサービス情報などが含まれる。
【０１４３】
次に、制御部５１Ｂは、制御部５１ＡからＣｏｎｔｅｘｔ情報の問合せを受けて、Ｃｏｎｔｅｘｔ情報を有しているか否かを判断する（ステップＳ１３４）。
【０１４４】
次に、制御部５１Ｂは、無線端末装置２０２のＣｏｎｔｅｘｔ情報を有していない場合には（ステップＳ１３４において「無」）、無線端末装置２０２が過去に通信を行った無線基地局装置１０１Ａ，１０１Ｂを管理対象とする他のＭＭＥへＣｏｎｔｅｘｔ情報の問合せを行う（ステップＳ１３５）。このとき、制御部５１Ａから出力されたＣｏｎｔｅｘｔ情報の問合せには、無線端末装置２０２が過去に通信を行った無線基地局装置１０１Ａ，１０１Ｂを管理する他のＭＭＥの識別情報が含まれており、制御部５１Ｂは、この識別情報に基づいて他のＭＭＥを特定することができる。
【０１４５】
次に、ステップＳ１３３において制御部５１ＡからＣｏｎｔｅｘｔ情報問合せを受けた制御部５１ＢがＣｏｎｔｅｘｔ情報を有している場合（ステップＳ１３４において「有」）、または、制御部５１Ｂが他のＭＭＥへＣｏｎｔｅｘｔ情報の問合せを行うことにより（ステップＳ１３５）他のＭＭＥからＣｏｎｔｅｘｔ情報を取得した場合には、Ｃｏｎｔｅｘｔ情報を制御部５１Ａへ出力する（ステップＳ１３６）。なお、制御部５１Ｂは、Ｃｏｎｔｅｘｔ情報を制御部５１Ａへ通知した後は、このＣｏｎｔｅｘｔ情報を解放してもよい。
【０１４６】
また、制御部５１Ｂは、他のＭＭＥへのＣｏｎｔｅｘｔ情報の問合せを必ずしも行う必要はなく、例えば、制御部５１Ａによる制御部５１ＢへのＣｏｎｔｅｘｔ情報の問合せ（ステップＳ１３３）よりも前に、制御部５１Ａが他のＭＭＥへＣｏｎｔｅｘｔ情報の問合せを行っても良い。また、制御部５１ＢによるＣｏｎｔｅｘｔ情報を有しているか否かの判断（ステップＳ１３４）よりも前に、制御部５１Ｂが他のＭＭＥに、Ｃｏｎｔｅｘｔ情報の問合せを行っても良い。
【０１４７】
このようにして、制御部５１ＡがＣｏｎｔｅｘｔ情報を取得すると、認証処理およびセキュリティ情報の送受信が行われる（ステップＳ１３７）。
【０１４８】
具体的には、ＭＭＥ１６２の制御部５１Ａは、認証要求（Authentication Request）を無線基地局装置１０１Ａへ送信する。そして、無線基地局装置１０１Ａは、下りデータを無線端末装置２０２へ送信する。この下りデータに、たとえば制御部５１Ａからの認証要求の情報が含まれる。また、無線端末装置２０２は、上りデータを無線基地局装置１０１Ａへ送信する。この上りデータに、たとえば制御部５１Ａへの認証応答の情報が含まれる。
【０１４９】
そして、無線基地局装置１０１Ａが認証要求に対する認証応答を制御部５１Ａへ送信し、制御部５１ＡがＮＡＳ（Non-Access Stratum）層のセキュリティ処理としてセキュリティ情報（NAS Security Mode Command）を無線基地局装置１０１Ａへ送信する。そして、無線基地局装置１０１Ａは、制御部５１Ａから受信したセキュリティ情報に対するセキュリティ完了通知（NAS Security Mode Complete）を制御部５１Ａへ送信する。
【０１５０】
次に、制御部５１Ａは、上位ネットワークから無線端末装置２０２宛の下りのパケット、および、無線端末装置２０２から上位ネットワークへの上りのパケットがＳ−ＧＷ１６１を経由するように、Ｐ−ＧＷ１６３と無線基地局装置１０１Ａとの間の通信経路の作成をＳ−ＧＷ１６１へ要求する（Create Session Request）（ステップＳ１３８）。
【０１５１】
次に、Ｓ−ＧＷ１６１は、制御部５１Ａから通信経路の作成要求を受信して、Ｐ−ＧＷ１６３と無線基地局装置１０１Ａとの間の通信経路を作成し、通信経路の作成応答（Create Session Response）を制御部５１Ａへ送信する（ステップＳ１３９）。
【０１５２】
次に、制御部５１Ａは、Ｓ−ＧＷ１６１から通信経路の作成応答を受信して、セキュリティ情報（Security Mode Command）などの情報送信要求（Initial Context Setup Request）およびトラッキングエリア更新受諾（ＴＡＵ受諾）（Tracking Area Update Accept）を無線基地局装置１０１Ａへ送信する（ステップＳ１４０）。
【０１５３】
なお、ＭＭＥ１６２の制御部５１Ａおよび無線基地局装置１０１Ａ間のメッセージについて、アタッチ受諾などはＳ１ＡＰプロトコルに従うメッセージとなり、これら以外はすべてＮＡＳ（ＭＭＥ）プロトコルに従うメッセージとなる。
【０１５４】
次に、無線基地局装置１０１Ａは、制御部５１Ａからセキュリティ情報などの情報送信要求およびトラッキングエリア更新受諾を受信して、セキュリティ情報などの情報を無線端末装置２０２へ送信する。また、無線基地局装置１０１Ａは、無線端末装置２０２へＲＲＣ（Radio Resource Control）コネクション再構成指示（RRC Connection Reconfiguration）を送信する（ステップＳ１４１）。
【０１５５】
次に、無線端末装置２０２は、無線基地局装置１０１Ａからセキュリティ情報などを受信して、セキュリティ完了通知（Security Mode Complete）を無線基地局装置１０１Ａへ送信する。また、無線端末装置２０２は、無線基地局装置１０１ＡへＲＲＣコネクション再構成完了通知（RRC Connection Reconfiguration Complete）を送信する（ステップＳ１４２）。
【０１５６】
次に、無線基地局装置１０１Ａは、無線端末装置２０２からセキュリティ完了通知およびＲＲＣコネクション再構成完了通知を受信すると、情報送信要求に対する情報送信応答を制御部５１Ａへ送信する（ステップＳ１４３）。
【０１５７】
次に、無線端末装置２０２から伝送メッセージが送信されると（ステップＳ１４４）、無線基地局装置１０１Ａは、トラッキングエリア更新完了通知（ＴＡＵ完了通知）（Tracking Area Update Complete）を制御部５１Ａへ送信する（ステップＳ１４５）。
【０１５８】
そして、制御部５１Ａが端末情報解放指示（UE Context Release Command）を無線基地局装置１０１Ａへ送信し、無線基地局装置１０１ＡがＲＲＣコネクション解放要求（RRC Connection Release）を無線端末装置２０２へ送信する。これにより、無線端末装置２０２は、アイドル状態となる。また、無線基地局装置１０１Ａが端末情報解放完了通知（UE Context Release Complete）を制御部５１Ａへ送信する。
【０１５９】
なお、無線基地局装置１０１Ｂが、無線端末装置２０２の新たな通信接続先として選択された場合には、制御部５１Ａと制御部５１Ｂとの役割が入れ替わり、上記と同様の動作が行われる。
【０１６０】
（ハンドオーバ動作）
次に、本発明の実施の形態に係るＭＭＥ１６２を備える通信システム４０１におけるハンドオーバ動作およびデータフォワーディング動作について、無線基地局装置１０１Ａおよび無線基地局装置１０１Ｂ間で基地局−基地局間の論理インタフェースであるＸ２インタフェースが用いられる場合、Ｘ２インタフェースが用いられない場合、および、ハンドオーバ動作が拒否される場合に分けて説明する。
【０１６１】
（ａ）Ｘ２インタフェースが用いられる場合
図９は、本発明の実施の形態に係るＭＭＥ１６２を備える通信システム４０１におけるハンドオーバ動作およびデータフォワーディング動作のシーケンスの一例を示す図である。
【０１６２】
ここでは、無線端末装置２０２が、フェムトセルであるセルＣＡ内に位置し、無線基地局装置１０１Ａと通信中である状態から、マクロセルであるセルＣＢ内へ移動した場合を想定する。なお、セルＣＢはピコセルであってもよい。また、基地局−基地局間の論理インタフェースであるＸ２インタフェースが無線基地局装置１０１Ａおよび無線基地局装置１０１Ｂ間で用いられる場合を想定する。
【０１６３】
図９を参照して、無線基地局装置１０１Ａおよび無線端末装置２０２間で通信コネクション具体的にはＲＲＣコネクションが確立している状態において、無線端末装置２０２と無線基地局装置１０１Ａとの間で通信が行われている。そして、無線基地局装置１０１Ａは、自己と通信中の無線端末装置２０２の測定対象となる周波数と、当該周波数の無線信号を送信する他の無線基地局装置とを設定し、設定した他の無線基地局装置から送信される無線信号の受信電力を無線端末装置２０２に測定させるための測定開始要求を無線端末装置２０２へ送信する（ステップＳ１５１）。この測定開始要求には、周辺セル情報、すなわち測定対象となる無線基地局装置のセルＩＤが含まれる。また、この測定開始要求には、各無線基地局装置の送信周波数が含まれる。
【０１６４】
そして、無線端末装置２０２は、受信した測定開始要求の示す周波数において、測定開始要求の示す無線基地局装置から送信される無線信号の受信電力を測定する。そして、無線端末装置２０２は、たとえば、受信電力の測定を定期的に行ない、無線基地局装置１０１Ａとの通信状態が悪くなった場合、および無線基地局装置１０１Ａ以外の他の無線基地局装置との通信状態が良くなった場合に、受信電力の測定結果を示す受信電力情報すなわち測定結果通知を無線基地局装置１０１Ａへ送信する（ステップＳ１５２）。
【０１６５】
そして、無線基地局装置１０１Ａは、無線端末装置２０２から受信した測定結果通知に基づいて、当該無線端末装置２０２のハンドオーバ動作を実行すべきか否かを判断し、ハンドオーバ動作を実行すべきであると判断すると、周辺セル情報を参照してたとえば無線基地局装置１０１Ｂをハンドオーバ先として決定する（ステップＳ１５３）。
【０１６６】
次に、無線基地局装置１０１Ａは、無線基地局装置１０１Ｂを示すハンドオーバ要求を無線基地局装置１０１Ｂへ送信する（ステップＳ１５４）。そして、無線基地局装置１０１Ｂは、無線基地局装置１０１Ａからハンドオーバ要求を受信して、ＲＲＣコネクション確立のための準備処理を行い、無線基地局装置１０１Ａへ当該ハンドオーバ要求に対するハンドオーバ応答を送信する（ステップＳ１５５）。
【０１６７】
次に、無線基地局装置１０１Ａは、無線端末装置２０２へハンドオーバ指示を含むＲＲＣコネクション再構成指示を送信する（ステップＳ１５６）。
【０１６８】
次に、無線基地局装置１０１Ａは、無線基地局装置１０１Ｂへ自己の通信状態等を示す状態通知を送信する。この状態通知に、データフォワーディングにおいて、無線基地局装置１０１Ｂが転送パケットを処理するための、パケットのシリアル番号等の情報が含まれる（ステップＳ１５７）。
【０１６９】
そして、無線基地局装置１０１Ａは、Ｘ２インタフェース経由のデータフォワーディング（ダイレクトデータフォワーディング）を開始する、すなわち、自己に蓄積されているかまたはＳ−ＧＷ１６１から新たに受信する当該無線端末装置２０２宛のパケットである対象パケットを無線基地局装置１０１Ｂへ転送する（ステップＳ１５８）。
【０１７０】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知を送信する（ステップＳ１５９）。
【０１７１】
次に、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう（ステップＳ１６０）。
【０１７２】
また、無線端末装置２０２は、無線基地局装置１０１Ｂへパケットを送信し、無線基地局装置１０１Ｂは、当該パケットをＳ−ＧＷ１６１へ送信する（ステップＳ１６１）。
【０１７３】
次に、無線基地局装置１０１Ｂは、無線端末装置２０２からＲＲＣコネクション再構成完了通知を受信して、ＭＭＥ１６２の制御部５１Ｂへハンドオーバ完了通知を送信し、ＲＲＣコネクションが確立する（ステップＳ１６２）。このハンドオーバ完了通知に、Ｓ−ＧＷ１６１に対するパス切り替え要求が含まれる。
【０１７４】
次に、制御部５１Ｂは、制御部５１ＡへＣｏｎｔｅｘｔ情報（端末情報）の問合せを行う（ステップＳ１６３）。このＣｏｎｔｅｘｔ情報は、例えば、ＩＭＳＩ（International Mobile Subscriber Identity）またはＩＭＥＩ（International Mobile Equipment Identity）など、無線端末装置２０２の識別情報に加えて、さらに、無線端末装置２０２が受けているサービスのサービス情報などが含まれる。
【０１７５】
次に、制御部５１Ａは、制御部５１ＢからＣｏｎｔｅｘｔ情報の問合せを受けて、Ｃｏｎｔｅｘｔ情報を解放すなわち削除し（ステップＳ１６４）、Ｃｏｎｔｅｘｔ情報を制御部５１Ｂへ出力する（ステップＳ１６５）。なお、制御部５１Ａは、Ｃｏｎｔｅｘｔ情報を制御部５１Ｂへ出力した後に（ステップＳ１６５）、当該Ｃｏｎｔｅｘｔ情報の解放を行っても良い。
【０１７６】
次に、制御部５１Ｂは、制御部５１ＡからＣｏｎｔｅｘｔ情報を受信すると、上記パス切り替え要求を含むベアラ変更要求を、ルーティング機能部５２を介してＳ−ＧＷ１６１へ送信する（ステップＳ１６６）。
【０１７７】
次に、Ｓ−ＧＷ１６１は、制御部５１Ｂからベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。そして、Ｓ−ＧＷ１６１は、ベアラ変更要求に対するパス切り替え応答を含むベアラ変更応答を、ルーティング機能部５２を介して制御部５１Ｂへ送信する（ステップＳ１６７）。
【０１７８】
次に、Ｓ−ＧＷ１６１は、対象パケットの無線基地局装置１０１Ｂへの送信を開始する。そして、無線基地局装置１０１Ｂは、無線基地局装置１０１Ａを経由していないＳ−ＧＷ１６１からの対象パケットの無線端末装置２０２への送信を保留し、蓄積しておく（ステップＳ１６８）。
【０１７９】
次に、Ｓ−ＧＷ１６１は、エンドマーカが付された対象パケットを無線基地局装置１０１Ａへ送信する（ステップＳ１６９）。
【０１８０】
次に、無線基地局装置１０１Ａは、Ｓ−ＧＷ１６１から受信したエンドマーカ付きの対象パケットを無線基地局装置１０１Ｂへ転送する。無線基地局装置１０１Ａは、無線基地局装置１０１Ｂへ転送する対象パケットの最後を、このエンドマーカ付きの対象パケットとする（ステップＳ１７０）。
【０１８１】
そして、無線基地局装置１０１Ｂは、無線基地局装置１０１Ａからエンドマーカ付きの対象パケットを受信して、無線基地局装置１０１Ａによる自己へのデータフォワーディングが完了したことを認識する。そして、無線基地局装置１０１Ｂは、無線基地局装置１０１Ａから転送された対象パケットをすべて無線端末装置２０２へ送信した後、蓄積していたＳ−ＧＷ１６１からの対象パケットの無線端末装置２０２への送信を開始する。
【０１８２】
また、制御部５１Ｂは、Ｓ−ＧＷ１６１からベアラ変更応答を受信して、当該ベアラ変更応答を無線基地局装置１０１Ｂへ送信する（ステップＳ１７１）。
【０１８３】
そして、必要に応じて図８に示すトラッキングエリアの更新処理が行われる（ステップＳ１７２）。
【０１８４】
また、無線基地局装置１０１Ｂは、制御部５１Ｂからベアラ変更応答を受信して、端末情報解放指示を無線基地局装置１０１Ａへ送信する（ステップＳ１７３）。そして、無線基地局装置１０１Ａは、無線基地局装置１０１Ｂから端末情報解放指示を受信して、無線端末装置２０２に関する情報を解放し、無線基地局装置１０１Ｂへ端末情報解放完了通知を送信し、ＲＲＣアイドル状態となる。
【０１８５】
なお、無線端末装置２０２が、フェムトセルであるセルＣＡ内に位置し、無線基地局装置１０１Ａと通信中である状態から、マクロセルであるセルＣＢ内へ移動した場合には、制御部５１Ａと制御部５１Ｂとの役割が入れ替わり、上記と同様の動作が行われる。
【０１８６】
（ｂ）Ｘ２インタフェースが用いられない場合
図１０は、本発明の実施の形態に係るＭＭＥ１６２を備える通信システム４０１におけるハンドオーバ動作およびデータフォワーディング動作のシーケンスの一例を示す図である。
【０１８７】
ここでは、図９に示すハンドオーバ動作が行われる場合と同様に、無線端末装置２０２が、フェムトセルであるセルＣＡ内に位置し、無線基地局装置１０１Ａと通信中である状態から、マクロセルであるセルＣＢ内へ移動した場合を想定する。なお、セルＣＢはピコセルであってもよい。また、基地局−基地局間の論理インタフェースであるＸ２インタフェースが無線基地局装置１０１Ａおよび無線基地局装置１０１Ｂ間で用いられない場合を想定する。
【０１８８】
図１０を参照して、ステップＳ１８１からステップＳ１８３までの動作は、図９に示すステップＳ１５１からステップＳ１５３までの動作と同様であり、無線基地局装置１０１Ａは、無線基地局装置１０１Ｂをハンドオーバ先として決定する。
【０１８９】
次に、無線基地局装置１０１Ａは、無線基地局装置１０１Ｂを示すハンドオーバ要求をＭＭＥ１６２の制御部５１Ａへ送信する（ステップＳ１８４）。
【０１９０】
次に、制御部５１Ａは、無線基地局装置１０１Ａからハンドオーバ要求を受けると、このハンドオーバ要求およびＣｏｎｔｅｘｔ情報を制御部５１Ｂへ出力する（ステップＳ１８５）。
【０１９１】
次に、制御部５１Ｂは、制御部５１Ａから受けたハンドオーバ要求を無線基地局装置１０１Ｂへ送信する（ステップＳ１８６）。
【０１９２】
次に、無線基地局装置１０１Ｂは、制御部５１Ｂからハンドオーバ要求を受信して、制御部５１Ｂへ当該ハンドオーバ要求に対するハンドオーバ応答を送信する（ステップＳ１８７）。そして、制御部５１Ｂは、無線基地局装置１０１Ｂから受けたハンドオーバ応答を制御部５１Ａへ転送する（ステップＳ１８８）。
【０１９３】
次に、制御部５１Ａは、制御部５１Ｂからハンドオーバ応答を受けると、Ｓ１−Ｕインタフェース経由のデータフォワーディングを行うためのパスの確立要求を、ルーティング機能部５２を介してＳ−ＧＷ１６１へ送信する（ステップＳ１８９）。
【０１９４】
そして、Ｓ−ＧＷ１６１は、制御部５１Ａからデータフォワーディングパスの確立要求を受けると、データフォワーディングパスを確立させる。そして、Ｓ−ＧＷ１６１は、データフォワーディングパスの確立応答を、ルーティング機能部５２を介して制御部５１Ａへ送信する（ステップＳ１９０）。
【０１９５】
次に、制御部５１Ａは、無線基地局装置１０１Ａへハンドオーバ指示を送信する（ステップＳ１９１）。
【０１９６】
次に、無線基地局装置１０１Ａは、当該無線端末装置２０２へＲＲＣコネクション再構成指示を送信する（ステップＳ１９２）。
【０１９７】
次に、無線基地局装置１０１Ａは、制御部５１Ａへ自己の通信状態等を示す状態通知を送信する（ステップＳ１９３）。この状態通知に、データフォワーディングにおいて、無線基地局装置１０１Ｂが転送パケットを処理するための、パケットのシリアル番号等の情報が含まれる。
【０１９８】
次に、制御部５１Ａは、無線基地局装置１０１Ａから受けた基地局状態通知を制御部５１Ｂへ出力する（ステップＳ１９４）。そして、制御部５１Ｂは、制御部５１Ａから基地局状態通知を受けると、基地局状態通知に対する基地局状態応答を制御部５１Ａへ出力する（ステップＳ１９５）。
【０１９９】
次に、制御部５１Ｂは、無線基地局装置１０１Ｂへ無線端末装置２０２との通信内容等を示す状態通知（ＭＭＥ状態通知）を送信する（ステップＳ１９６）。
【０２００】
そして、無線基地局装置１０１Ａは、Ｓ１インタフェース経由のデータフォワーディングを開始する、すなわち、自己に蓄積されているかまたはＳ−ＧＷ１６１から新たに受信する当該無線端末装置２０２宛のパケットである対象パケットをＳ−ＧＷ１６１経由で無線基地局装置１０１Ｂへ転送する（インダイレクトデータフォワーディング）（ステップＳ１９７およびステップＳ１９８）。
【０２０１】
次に、無線端末装置２０２および無線基地局装置１０１Ｂ間でＲＲＣコネクションが確立されると、無線端末装置２０２は、無線基地局装置１０１ＢへＲＲＣコネクション再構成完了通知（RRC Connection Reconfiguration Complete）を送信する（ステップＳ１９９）。
【０２０２】
次に、無線基地局装置１０１Ｂは、無線端末装置２０２からＲＲＣコネクション再構成完了通知を受信して、無線基地局装置１０１Ａから転送されたパケットを無線端末装置２０２へ送信する。ここで、無線基地局装置１０１Ｂは、無線基地局装置１０１Ａから受信した状態通知の示すシリアル番号等を用いて、パケットの順序制御を行なう（ステップＳ２００）。
【０２０３】
また、無線端末装置２０２は、無線基地局装置１０１Ｂへパケットを送信し、無線基地局装置１０１Ｂは、当該パケットをＳ−ＧＷ１６１へ送信する（ステップＳ２０１）。
【０２０４】
次に、無線基地局装置１０１Ｂは、無線端末装置２０２からＲＲＣコネクション再構成完了通知を受信して、制御部５１Ｂへハンドオーバ完了通知を送信し（ステップＳ２０２）、ＲＲＣコネクションが確立する。このハンドオーバ完了通知に、Ｓ−ＧＷ１６１に対するパス切り替え要求が含まれる。そして、制御部５１Ｂは、無線基地局装置１０１Ｂから取得したハンドオーバ完了通知を制御部５１Ａへ転送する（ステップＳ２０３）。
【０２０５】
次に、制御部５１Ｂは、無線基地局装置１０１Ｂからハンドオーバ完了通知を受信して、上記パス切り替え要求を含むベアラ変更要求を、ルーティング機能部５２を介してＳ−ＧＷ１６１へ送信する（ステップＳ２０４）。
【０２０６】
そして、Ｓ−ＧＷ１６１は、制御部５１Ｂからベアラ変更要求を受信して、パスの切り替え処理を行なう、すなわち、当該無線端末装置２０２宛の対象パケットの送信先を無線基地局装置１０１Ａから無線基地局装置１０１Ｂへ切り替える。そして、Ｓ−ＧＷ１６１は、ベアラ変更要求に対する、パス切り替え応答を含むベアラ変更応答を、ルーティング機能部５２を介して制御部５１Ｂへ送信する（ステップＳ２０５）。
【０２０７】
次に、Ｓ−ＧＷ１６１は、対象パケットの無線基地局装置１０１Ｂへの送信を開始する。そして、無線基地局装置１０１Ｂは、無線基地局装置１０１Ａを経由していないＳ−ＧＷ１６１からの対象パケットの無線端末装置２０２への送信を保留し、蓄積しておく。
【０２０８】
そして、Ｓ−ＧＷ１６１は、エンドマーカが付された対象パケットを無線基地局装置１０１Ａへ送信し、無線基地局装置１０１Ａは、当該対象パケットを無線基地局装置１０１Ｂへ転送する。このとき、無線基地局装置１０１Ａは、当該対象パケットの最後を、このエンドマーカ付きの対象パケットとする。そして、無線基地局装置１０１Ｂは、無線基地局装置１０１Ａからエンドマーカ付きの対象パケットを受信して、データフォワーディングが完了したことを認識し、当該対象パケットをすべて無線端末装置２０２へ送信した後、蓄積していたＳ−ＧＷ１６１からの対象パケットの無線端末装置２０２への送信を開始する。また、制御部５１Ｂは、Ｓ−ＧＷ１６１からベアラ変更応答を受信して、当該ベアラ変更応答を無線基地局装置１０１Ｂへ送信する（ステップＳ２０６）。
【０２０９】
そして、必要に応じて図８に示すトラッキングエリアの更新処理が行われる（ステップＳ２０７）。
【０２１０】
また、制御部５１Ａは、制御部５１Ｂからハンドオーバ完了通知を受信して、端末情報解放指示を無線基地局装置１０１Ａへ送信する（ステップＳ２０８）。そして、無線基地局装置１０１Ａは、制御部５１Ａから端末情報解放指示を受信して、無線端末装置２０２に関する情報を解放し、制御部５１Ａへ端末情報解放完了通知を送信し、ＲＲＣアイドル状態となる（ステップＳ２０９）。
【０２１１】
また、制御部５１Ａは、無線基地局装置１０１Ａから端末情報解放完了通知を受けると、Ｃｏｎｔｅｘｔ情報を解放する（ステップＳ２１０）。
【０２１２】
なお、無線端末装置２０２が、フェムトセルであるセルＣＡ内に位置し、無線基地局装置１０１Ａと通信中である状態から、マクロセルであるセルＣＢ内へ移動した場合には、制御部５１Ａと制御部５１Ｂとの役割が入れ替わり、上記と同様の動作が行われる。
【０２１３】
（ｃ）ハンドオーバ動作が拒否される場合
図１１は、本発明の実施の形態に係るＭＭＥ１６２を備える通信システム４０１におけるハンドオーバ動作およびデータフォワーディング動作のシーケンスの一例を示す図である。
【０２１４】
ここでは、図９に示すハンドオーバ動作が行われる場合と同様に、無線端末装置２０２が、フェムトセルであるセルＣＡ内に位置し、無線基地局装置１０１Ａと通信中である状態から、マクロセルであるセルＣＢ内へ移動した場合を想定する。なお、セルＣＢはピコセルであってもよい。また、基地局−基地局間の論理インタフェースであるＸ２インタフェースが無線基地局装置１０１Ａおよび無線基地局装置１０１Ｂ間で用いられない場合を想定する。
【０２１５】
図１１を参照して、図１１に示すステップＳ２１１からステップＳ２１６までの動作は、図１０に示すステップＳ１７１からステップＳ１７６までの動作と同様であるため、ここでの詳細な説明は繰り返さない。
【０２１６】
次に、無線基地局装置１０１Ｂは、制御部５１Ｂからハンドオーバ要求を受信して、当該ハンドオーバ要求の示すような、自己をハンドオーバ先とするハンドオーバ動作を行うことができないと判断した場合には、制御部５１Ｂへ当該ハンドオーバ要求に対するハンドオーバ拒否（Handover Failure）を送信する（ステップＳ２１７）。そして、制御部５１Ｂは、無線基地局装置１０１Ｂから受けたハンドオーバ拒否を制御部５１Ａへ転送する（ステップＳ２１８）。
【０２１７】
次に、制御部５１Ａは、制御部５１Ｂからハンドオーバ拒否を受けると、ハンドオーバ失敗通知（Handover Preparation Failure）を無線基地局装置１０１Ａへ送信する（ステップＳ２１９）。
【０２１８】
なお、無線端末装置２０２が、フェムトセルであるセルＣＡ内に位置し、無線基地局装置１０１Ａと通信中である状態から、マクロセルであるセルＣＢ内へ移動した場合には、制御部５１Ａと制御部５１Ｂとの役割が入れ替わり、上記と同様の動作が行われる。
【０２１９】
ところで、フェムト基地局は設置の自由度が高く設置数が増加傾向にあるため、コアネットワークに設けられたＭＭＥ（Mobility  Management  Entity）などの通信制御装置の管理対象が増加する。このため、例えば、複数のフェムトセルが形成されたマクロセル内を無線端末装置が移動することにより無線端末装置の通信相手となる無線基地局装置が切り替わる場合のように、フェムト基地局などの無線基地局装置とコアネットワークとの間の通信が行われる場合に、多くの無線基地局装置からＭＭＥへのアクセスが集中し、ＭＭＥに多大な負荷がかかるという問題がある。
【０２２０】
また、ＨｅＮＢ−ＧＷ等の中継装置経由でフェムト基地局とコアネットワークとを接続することによりＭＭＥの管理対象を少なくして、ＭＭＥに集中するアクセスを分散させることが考えられる。
【０２２１】
しかしながら、このような構成を採用する場合には、フェムト基地局と中継装置との間の情報の送受信およびマクロ基地局とＭＭＥとの間の情報の送受信に加えて、さらに、ＭＭＥと中継装置との間の情報の送受信が必要となり、結果として通信システムにおいて行われる情報の送受信が増加する。
【０２２２】
これに対して、本発明の実施の形態に係るＭＭＥ１６２では、制御部５１Ａが、無線基地局装置１０１Ａ，１０１Ｂのうちフェムト基地局である無線基地局装置１０１Ａを管理する。また、制御部５１Ｂが、無線基地局装置１０１Ａ，１０１Ｂのうちフェムト基地局以外の無線基地局装置１０１Ｂを管理する。
【０２２３】
このような構成により、中継装置を設けることなくＭＭＥ１６２に集中するアクセスを分散させることができるため、ＭＭＥ１６２にかかる負荷を軽減させることができ、かつ、情報の送受信の増加を抑えることができる。
【０２２４】
また、このように、フェムト基地局である無線基地局装置１０１Ａを管理する制御部５１Ａと、フェムト基地局以外の基地局である無線基地局装置１０１Ｂを管理する制御部５１Ｂとに分けられていることにより、無線基地局装置１０１Ａの設置数が増加して制御部５１Ａへのアクセスが集中する場合であっても、当該アクセスの集中に影響されることなく無線基地局装置１０１Ｂと制御部５１Ｂとの間の通信を円滑に行うことができる。
【０２２５】
また、本発明の実施の形態に係るＭＭＥ１６２において、制御部５１Ａおよび制御部５１Ｂは、通信制御装置間の通信用に規定されたインタフェースを用いることなく互いに通信する。
【０２２６】
このように、制御部５１Ａおよび制御部５１Ｂは、論理的なインタフェースを用いて互いに通信するため、通信システムにおいて行われる情報の送受信の増加を防ぐことができる。
【０２２７】
また、本発明の実施の形態に係るＭＭＥ１６２は、制御部５１Ａを複数備える。
【０２２８】
このような構成により、無線基地局装置１０１Ａの設置数が増加した場合であっても、多数の無線基地局装置１０１ＡとＭＭＥ１６２との間のアクセスを分散させることができる。
【０２２９】
また、本発明の実施の形態に係るＭＭＥ１６２において、制御部５１Ａおよび制御部５１Ｂのうち一方の制御部は、無線端末装置２０２のコアネットワークへのアタッチ要求を対応する無線基地局装置１０１Ａ，１０１Ｂから受信して、他方の制御部へ無線端末装置２０２の端末情報の問合せを行う。また、他方の制御部は、端末情報の問合せを受けて、端末情報を有している場合にはこの端末情報を一方の制御部へ出力する。
【０２３０】
このような構成により、無線端末装置２０２のコアネットワークへのアタッチ処理が行われる場合であっても、ＭＭＥ１６２にかかる負荷を軽減させることができ、かつ、情報の送受信の増加を抑えることができる。また、他方の制御部が端末情報を有している場合には、一方の制御部は無線端末装置に端末情報を問合せることなく、他方の制御部から端末情報を取得することができる。
【０２３１】
また、本発明の実施の形態に係るＭＭＥ１６２において、上記他方の制御部は、端末情報の問合せを受けて、端末情報を有していない場合には、有していないことを示す通知を上記一方の制御部へ出力するか、または、無線端末装置２０２が過去に通信を行った無線基地局装置１０１Ａ，１０１Ｂを管理対象とする他のＭＭＥへ端末情報の問合せを行う。
【０２３２】
このように、上記一方の制御部は、上記他方の制御部が端末情報を有していないことを示す通知を取得することにより、他方の制御部が端末情報を有していないことを認識することができる。また、上記他方の制御部が他のＭＭＥへ端末情報の問合せを行うことにより、上記他方の制御部は、自己が端末情報を有していない場合であっても端末情報を取得し得る。
【０２３３】
また、本発明の実施の形態に係るＭＭＥ１６２において、制御部５１Ａおよび制御部５１Ｂのうち一方の制御部は、無線端末装置２０２のトラッキングエリア更新要求を対応する無線基地局装置１０１Ａ，１０１Ｂから受信して、他方の制御部へ無線端末装置２０２の端末情報の問合せを行う。また、他方の制御部は、端末情報の問合せを受けて、端末情報を有している場合には端末情報を一方の制御部へ出力する。
【０２３４】
このような構成により、無線端末装置２０２のトラッキングエリアの更新処理が行われる場合であっても、ＭＭＥ１６２にかかる負荷を軽減させることができ、かつ、情報の送受信の増加を抑えることができる。また、上記他方の制御部が端末情報を有している場合には、上記一方の制御部は無線端末装置に端末情報を問合せることなく、上記他方の制御部から端末情報を取得することができる。
【０２３５】
また、本発明の実施の形態に係るＭＭＥ１６２において、上記他方の制御部は、端末情報の問合せを受けて、端末情報を有していない場合には、無線端末装置２０２が過去に通信を行った無線基地局装置１０１Ａ，１０１Ｂを管理対象とする他のＭＭＥ１６２へ端末情報の問合せを行う。
【０２３６】
このように、上記他方の制御部が他のＭＭＥへ端末情報の問合せを行うため、上記他方の制御部は、自己が端末情報を有していない場合であっても端末情報を取得し得る。
【０２３７】
また、本発明の実施の形態に係るＭＭＥ１６２において、制御部５１Ａおよび制御部５１Ｂのうち無線端末装置２０２のハンドオーバ先の無線基地局装置１０１Ａ，１０１Ｂを管理する一方の制御部は、無線端末装置２０２のハンドオーバ動作が完了した後にハンドオーバ先の無線基地局装置１０１Ａ，１０１Ｂから所定情報を受信して、ハンドオーバ元の無線基地局装置１０１Ａ，１０１Ｂが他方の制御部の管理対象である場合に、他方の制御部へ無線端末装置２０２の端末情報の問合せを行う。他方の制御部は、一方の制御部から端末情報の問合せを受けて、端末情報を一方の制御部へ出力する。
【０２３８】
このような構成により、たとえばＸ２インタフェースを介した無線端末装置２０２のハンドオーバ動作が行われる場合であっても、ＭＭＥ１６２にかかる負荷を軽減させることができ、かつ、情報の送受信の増加を抑えることができる。また、上記一方の制御部は無線端末装置２０２に端末情報を問合せることなく、上記他方の制御部から端末情報を取得することができる。
【０２３９】
また、本発明の実施の形態に係るＭＭＥ１６２において、上記他方の制御部は、上記一方の制御部から端末情報の問合せを受けると、端末情報を解放すなわち削除する。
【０２４０】
このような構成により、上記他方の制御部にとって不要な端末情報が、上記他方の制御部に記録され続けることを防ぐことができる。
【０２４１】
また、本発明の実施の形態に係るＭＭＥ１６２において、制御部５１Ａおよび制御部５１Ｂのうち無線端末装置２０２のハンドオーバ元の無線基地局装置１０１Ａ，１０１Ｂを管理する一方の制御部は、無線端末装置２０２のハンドオーバ動作を行うためのハンドオーバ要求をハンドオーバ元の無線基地局装置１０１Ａ，１０１Ｂから受信して、ハンドオーバ先の無線基地局装置１０１Ａ，１０１Ｂが他方の制御部の管理対象である場合に、ハンドオーバ要求および無線端末装置２０２の識別情報を他方の制御部へ出力する。また、他方の制御部は、一方の制御部から取得したハンドオーバ要求をハンドオーバ先の無線基地局装置１０１Ａ，１０１Ｂへ送信し、ハンドオーバ先の無線基地局装置１０１Ａ，１０１Ｂからハンドオーバ要求に対する応答通知を受信すると、当該応答通知を一方の制御部へ出力する。
【０２４２】
このような構成により、たとえばＳ１インタフェースを介した無線端末装置２０２のハンドオーバ動作が行われる場合であっても、ＭＭＥ１６２にかかる負荷を軽減させることができ、かつ、情報の送受信の増加を抑えることができる。
【０２４３】
また、本発明の実施の形態に係るＭＭＥ１６２において、上記一方の制御部は、上記他方の制御部から応答通知を取得した後、ハンドオーバ元の無線基地局装置１０１Ａ，１０１Ｂの状態を示す状態通知をハンドオーバ元の無線基地局装置１０１Ａ，１０１Ｂから受信すると、上記他方の制御部へ状態通知を出力する。また、上記他方の制御部は、上記一方の制御部から状態通知を取得して、状態通知に対する応答通知を上記一方の制御部へ出力する。
【０２４４】
このような構成により、上記他方の制御部は、ハンドオーバ元の無線基地局装置の状態を認識することができる。
【０２４５】
また、本発明の実施の形態に係るＭＭＥ１６２において、上記他方の制御部は、上記一方の制御部から状態通知を取得した後、ハンドオーバ先の無線基地局装置１０１Ａ，１０１Ｂからハンドオーバ動作の完了通知を受信すると、完了通知を上記一方の制御部へ出力する。
【０２４６】
このような構成により、上記一方の制御部は、ハンドオーバ動作が完了したことを認識することができる。
【０２４７】
また、本発明の実施の形態に係るＭＭＥ１６２において、上記一方の制御部は、上記他方の制御部から完了通知を取得すると、端末情報を解放すなわち削除する。
【０２４８】
このような構成により、上記一方の制御部にとって不要な端末情報が、上記一方の制御部に記録され続けることを防ぐことができる。
【０２４９】
また、本発明の実施の形態に係るＭＭＥ１６２において、制御部５１Ａおよび制御部５１Ｂのうち無線端末装置２０２のハンドオーバ元の無線基地局装置１０１Ａ，１０１Ｂを管理する一方の制御部は、無線端末装置２０２のハンドオーバ動作を行うためのハンドオーバ要求をハンドオーバ元の無線基地局装置１０１Ａ，１０１Ｂから受信して、ハンドオーバ先の無線基地局装置１０１Ａ，１０１Ｂが他方の制御部の管理対象である場合に、ハンドオーバ要求および無線端末装置２０２の識別情報を他方の制御部へ出力する。また、上記他方の制御部は、上記一方の制御部から取得したハンドオーバ要求をハンドオーバ先の無線基地局装置１０１Ａ，１０１Ｂへ送信し、ハンドオーバ先の無線基地局装置１０１Ａ，１０１Ｂからハンドオーバ動作の拒否通知を受信すると、拒否通知を上記一方の制御部へ出力する。
【０２５０】
このような構成により、たとえばＳ１インタフェースを介した無線端末装置２０２のハンドオーバ動作が行われる場合であっても、ＭＭＥ１６２にかかる負荷を軽減させることができ、かつ、情報の送受信の増加を抑えることができる。
【０２５１】
（変形例）
以下、本発明の実施の形態の変形例について説明する。本発明の実施の形態の変形例に係るＳ−ＧＷ１６１を備える通信システム４０１は、Ｓ−ＧＷ１６１が論理的に分けられた通信部６１Ａ，６１Ｂを有しているものである。
【０２５２】
図１２は、本発明の実施の形態の変形例に係るＳ−ＧＷ１６１の構成を示す図である。図１２を参照して、Ｓ−ＧＷ１６１は、論理的に分けられた通信部６１Ａ，６１Ｂと、ルーティング機能部６２とを有する。
【０２５３】
通信部６１Ａ（第１の通信部）は、無線基地局装置１０１ＡとＩＰ網３０２との間に接続される。通信部６１Ａは、無線基地局装置１０１Ａ，１０１Ｂのうちフェムト基地局である無線基地局装置１０１Ａ経由で無線端末装置２０２から受信した通信データを上位ネットワークへ送信するとともに、上位ネットワークから受信した通信データを無線基地局装置１０１Ａ経由で無線端末装置２０２へ送信する。
【０２５４】
通信部６１Ｂ（第２の通信部）は、無線基地局装置１０１ＢとＩＰ網３０２との間に接続される。通信部６１Ｂは、無線基地局装置１０１Ａ，１０１Ｂのうちフェムト基地局以外である無線基地局装置１０１Ｂ経由で無線端末装置２０２から受信した通信データを上位ネットワークへ送信するとともに、上位ネットワークから受信した通信データを無線基地局装置１０１Ｂ経由で無線端末装置２０２へ送信する。
【０２５５】
例えば、Ｓ−ＧＷ１６１は第１のコア（Core）および第２のコアを集積したＣＰＵ（Central Processing Unit）を有し、第１のコアが通信部６１Ａとして機能し、第２のコアが通信部６１Ｂとして機能する。なお、必ずしもＳ−ＧＷ１６１が複数の異なるコアを集積したＣＰＵを有している必要はなく、これら通信部６１Ａおよび通信部６１Ｂが論理的に分かれてＳ−ＧＷ間の通信用に規定されたインタフェースを用いることなく互いに通信する構成であれば足りる。
【０２５６】
例えば、Ｓ−ＧＷ１６１は複数の異なるＣＰＵ（Central Processing Unit）を有し、第１のＣＰＵが通信部６１Ａとして機能し、第２のＣＰＵが通信部６１Ｂとして機能してもよい。また、例えば、Ｓ−ＧＷ１６１は複数の異なる基板を有し、第１の基板に通信部６１Ａが搭載され、第２の基板に通信部６１Ｂが搭載されてもよい。また、例えば、Ｓ−ＧＷ１６１は複数の異なる装置を有し、第１の装置に通信部６１Ａが搭載され、第２の装置に通信部６１Ｂが搭載されてもよい。しかしながら、通信部６１Ａと通信部６１Ｂとが互いに異なる装置に搭載されている場合には、これら通信部６１Ａおよび通信部６１Ｂ間の通信は所定の論理的なインタフェースを介して行われるため処理遅延が生じる可能性がある。このため、通信部６１Ａおよび通信部６１Ｂは、異なるコア、異なるＣＰＵまたは異なる基板によって分離されていることが好ましい。
【０２５７】
なお、図１２では、１つの通信部６１Ａと、１つの通信部６１Ｂとを代表的に示しているが、さらに多数の通信部６１Ａ，６１Ｂが設けられてもよい。
【０２５８】
ルーティング機能部６２は、ＭＭＥ１６２またはＰ−ＧＷ１６３との間で情報の送受信を行う。また、ルーティング機能部６２は、ＭＭＥ１６２またはＰ−ＧＷ１６３から取得した情報を通信部６１Ａまたは通信部６１Ｂへ振り分けて出力する。すなわち、ルーティング機能部６２は、ＭＭＥ１６２またはＰ−ＧＷ１６３から取得した情報のうち、通信部６１Ａまたは無線基地局装置１０１Ａ宛の情報を通信部６１Ａへ送信し、通信部６１Ｂまたは無線基地局装置１０１Ｂ宛の情報を通信部６１Ｂへ送信する。
【０２５９】
このように、本発明の実施の形態の変形例に係るＳ−ＧＷ１６１では、通信部６１Ａが、フェムト基地局である無線基地局装置１０１Ａ経由で無線端末装置２０２から受信した通信データを上位ネットワークへ送信するか、または、上位ネットワークから受信した通信データを無線基地局装置１０１Ａ経由で無線端末装置２０２へ送信する。また、通信部６１Ｂが、フェムト基地局以外の基地局である無線基地局装置１０１Ｂ経由で無線端末装置２０２から受信した通信データを上位ネットワークへ送信するか、または、上位ネットワークから受信した通信データを無線基地局装置１０１Ｂ経由で無線端末装置２０２へ送信する。
【０２６０】
このような構成により、中継装置を設けることなくＳ−ＧＷ１６１に集中するアクセスを分散させることができるため、Ｓ−ＧＷ１６１にかかる負荷を軽減させることができ、かつ、情報の送受信の増加を抑えることができる。
【０２６１】
また、このように、無線基地局装置１０１Ａとの間で通信データの送受信を行う通信部６１Ａと、無線基地局装置１０１Ｂとの間で通信データの送受信を行う通信部６１Ｂとに分けられていることにより、無線基地局装置１０１Ａの設置数が増加して通信部６１Ａへのアクセスが集中する場合であっても、当該アクセスの集中に影響されることなく無線基地局装置１０１Ｂと通信部６１Ｂとの間の通信データの送受信を円滑に行うことができる。
【０２６２】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０２６３】
５１Ａ  制御部（第１の制御部）
５１Ｂ  制御部（第２の制御部）
５２  ルーティング機能部
６１Ａ  通信部（第１の通信部）
６１Ｂ  通信部（第２の通信部）
６２  ルーティング機能部
１０１，１０１Ａ，１０１Ｂ  無線基地局装置
１６１  Ｓ−ＧＷ（ゲートウェイ装置）
１６２  ＭＭＥ（通信制御装置）
１６３  Ｐ−ＧＷ
１６４  ＨＳＳ
２０２  無線端末装置
３０１  コアネットワーク
３０２  ＩＰ網（上位ネットワーク）
４０１  通信システム
【図１】
2013192149.tif 000003
【図２】
2013192149.tif 000004
【図３】
2013192149.tif 000005
【図４】
2013192149.tif 000006
【図５】
2013192149.tif 000007
【図６】
2013192149.tif 000008
【図７】
2013192149.tif 000009
【図８】
2013192149.tif 000010
【図９】
2013192149.tif 000011
【図１０】
2013192149.tif 000012
【図１１】
2013192149.tif 000013
【図１２】
2013192149.tif 000014